(57)【要約】【課題】  多様な入浴者のニーズに応えることが可能で、より快適性を追求した浴室ミストサウナ装置を提供すること。【解決手段】  この浴室ミストサウナ装置ＭＳは、ミストバルブ５７，５８、暖房ヒータ６０，６１，６２、及びそれらを制御する制御手段としてのＣＰＵ４０を備え、ＣＰＵ４０は、ミストノズルによる浴室内へのミスト噴出とヒータによる浴室内の温度上昇とを並立させて入浴者に発汗を促す発汗ゾーンを形成すると共に、当該発汗ゾーンの形成に合わせて少なくとも発汗ゾーンにおいて発汗した入浴者に対して清涼感を体感させることが可能な涼感ゾーンを形成するゾーン分離空調制御を行い、当該制御によって、浴室を入浴者が発汗ゾーンと涼感ゾーンとの間を往来可能なように構成し、入浴者が発汗と清涼感の体感とを交互に体験することができるサイクル入浴を可能としている。【選択図】  図１６
2008237478.tif 000002
【特許請求の範囲】
【請求項１】
実体物によって分離されていない一つの空間として構成された浴室空間内に、入浴者に発汗を促すためのミストサウナ空間を形成する浴室ミストサウナ装置であって、
浴室空間内にミストを噴出するミスト噴出手段と、
浴室空間内の温度を上昇させる昇温手段と、
入浴者に発汗を促し得る発汗ゾーンを少なくとも含むミストサウナ空間を形成するように、前記ミスト噴出手段及び前記昇温手段をそれぞれ制御する制御手段と、
浴室ミストサウナ装置に対する操作指示を受け付けて、前記制御手段に対して操作指示信号を出力する操作受付手段と、を備え、
前記制御手段は、一つの空間としての浴室空間を実体物によらず横方向に並ぶように分割した領域であって、それぞれが予め定められた位置にある第１領域と第２領域とに対して、前記第１領域の少なくとも一部に前記発汗ゾーンを形成させると共に前記第２領域の少なくとも一部に前記発汗ゾーンにおいて発汗した入浴者に対して清涼感を体感させ得る涼感ゾーンを形成させるように前記ミスト噴出手段による前記ミストの噴出と前記昇温手段による温度の上昇とを制御する手段であって、
前記発汗ゾーンを形成した後に前記操作受付手段から出力される操作指示信号に応じて、前記発汗ゾーンを形成するための前記ミスト噴出手段及び前記昇温手段に対する制御を継続すると共に、前記ミスト噴出手段及び前記昇温手段の少なくとも一方から前記入浴者に清涼感を体感させるための涼感流体を送り出させて前記涼感ゾーンを形成するゾーン分離空調制御を行う浴室ミストサウナ装置。
【請求項２】
前記制御手段による前記ゾーン分離空調制御によって、入浴者が前記発汗ゾーンと前記涼感ゾーンとの間を往来可能なように浴室空間を構成し、浴室空間内において入浴者が発汗と清涼感の体感とを交互に体験することができるサイクル入浴を可能としたことを特徴とする請求項１に記載の浴室ミストサウナ装置。
【請求項３】
前記制御手段は、前記発汗ゾーンを所定以上の温度及び所定以上の湿度となる高温ミスト雰囲気とする一方で、前記涼感ゾーンを前記高温ミストのない雰囲気とするように涼感流体を送り出して前記ゾーン分離空調制御を行い、
前記涼感流体は、前記高温ミストよりも低温の低温ミスト、及び前記発汗ゾーンの温度よりも低温の涼風の少なくとも一方によって構成されることを特徴とする請求項１又は２に記載の浴室ミストサウナ装置。
【請求項４】
前記ミスト噴出手段は、前記発汗ゾーンを形成するための第１ミスト噴出手段と前記涼感ゾーンを形成するための第２ミスト噴出手段とを有し、前記第２ミスト噴出手段は前記低温ミストを噴出することを特徴とする請求項３に記載の浴室ミストサウナ装置。
【請求項５】
前記操作受付手段が出力する操作指示信号は、前記ゾーン分離空調制御を開始することを指示する開始指示信号、あるいは、前記ゾーン分離空調制御を停止することを指示する停止指示信号を含み、
前記制御手段は、前記操作受付手段から前記開始指示信号が出力されたことに応じて前記ゾーン分離空調制御を開始し、前記操作受付手段から前記停止指示信号が出力されたことに応じて前記ゾーン分離空調制御を停止することを特徴とする請求項１〜３のいずれか１項に記載の浴室ミストサウナ装置。
【請求項６】
前記制御手段は、前記ゾーン分離空調制御を行っている間において所定条件を満たした場合に、前記涼感ゾーンの形成態様を遷移させることを特徴とする請求項５に記載の浴室ミストサウナ装置。
【請求項７】
前記制御手段は、所定の操作指示信号の出力に応じて前記涼感ゾーンを拡大させることを特徴とする請求項６に記載の浴室ミストサウナ装置。
【請求項８】
前記制御手段は、所定の操作指示信号の出力に応じて前記涼感ゾーンの温度を更に下げさせることを特徴とする請求項６に記載の浴室ミストサウナ装置。
【請求項９】
前記制御手段は、所定の条件を満たすまで前記開始指示信号を受け付けないことを特徴とする請求項５に記載の浴室ミストサウナ装置。
【請求項１０】
前記操作受付手段は、前記ゾーン分離空調制御を開始する操作を受け付ける開始操作受付部を有し、
前記開始操作受付部が操作されたことに応じて、前記ゾーン分離空調制御への移行を報知することを特徴とする請求項５に記載の浴室ミストサウナ装置。
【請求項１１】
前記操作受付手段は、前記低温ミストを噴出させる操作を受け付ける低温ミスト操作受付部と、前記涼風を送り出させる操作を受け付ける涼風操作受付部とをそれぞれ独立して有することを特徴とする請求項５に記載の浴室ミストサウナ装置。
【発明の詳細な説明】
【技術分野】
【０００１】
本発明は、実体物によって分離されていない単一空間として構成された浴室内を、入浴者に発汗を促すためのミストサウナ空間とすることのできる浴室ミストサウナ装置に関する。
【背景技術】
【０００２】
従来、このような浴室ミストサウナ装置として、下記特許文献１に記載されているようなものが提案されている。下記特許文献１には、ミストサウナ運転の後にクールダウン運転を行うことが可能なミスト式空調システムが記載されている。このミスト式空調システムは、サウナ温度、サウナ入浴時間、サウナ運転及びクールダウン運転のサイクル回数が設定可能なように構成されており、最初のサウナ運転から最後のクールダウン運転の終了までの間に、サウナ運転及びクールダウン運転のサイクルが繰り返されるものである。
【特許文献１】特開２００２−１４３２６５号公報
【発明の開示】
【発明が解決しようとする課題】
【０００３】
上述した従来の技術では、サウナ温度、サウナ入浴時間、サウナ運転及びクールダウン運転のサイクル回数を設定することを可能とする設定手段を備えており、その設定手段による設定に基づいてサウナ運転とクールダウン運転とのサイクル運転を行っている。従って、入浴者は予め自らが設定したサイクルでミストサウナ浴を行うことになる。
【０００４】
ところで、ミストサウナ浴の合間にクールダウンしたいとのニーズはあるが、同じ入浴者であってもいかなるサイクルでクールダウンすることが快適かは実際に入浴してみなければ分からない場合もある。しかしながら、上述した従来の技術ではこのようなニーズには応えることができない。
【０００５】
そこで本発明では、多様な入浴者のニーズに応えることが可能で、より快適性を追求した浴室ミストサウナ装置を提供することを目的とする。
【課題を解決するための手段】
【０００６】
上記課題を解決するために本発明者らは、多くの入浴者のニーズをヒアリングし、様々な角度から快適な浴室ミストサウナ装置について検討を行った。まず、多様な入浴者のニーズに応えるために、入浴者の指示入力に応じてクールダウンを行ういわゆるマニュアルモードの検討を行った。しかしながら、そもそも上述した従来の技術では浴室全体を暖めたり冷したりすることが必要であり、現実的には実現することが困難であることが判明した。また、浴室空間に比して非常に大掛かりな空調装置を導入することでそれを可能ならしめたとしても、そのような大規模な空調装置で浴室の暖気と涼気とを全て入れ替えて入浴することが必ずしも快適ではないことも判明した。本発明は、このような試行錯誤の結果として得られた新たな課題を解決すべくなされたものである。
【０００７】
本発明に係る浴室ミストサウナ装置は、実体物によって分離されていない一つの空間として構成された浴室空間内に、入浴者に発汗を促すためのミストサウナ空間を形成する浴室ミストサウナ装置であって、浴室空間内にミストを噴出するミスト噴出手段と、浴室空間内の温度を上昇させる昇温手段と、入浴者に発汗を促し得る発汗ゾーンを少なくとも含むミストサウナ空間を形成するように、ミスト噴出手段及び昇温手段をそれぞれ制御する制御手段と、浴室ミストサウナ装置に対する操作指示を受け付けて、制御手段に対して操作指示信号を出力する操作受付手段と、を備え、制御手段は、一つの空間としての浴室空間を実体物によらず横方向に並ぶように分割した領域であって、それぞれが予め定められた位置にある第１領域と第２領域とに対して、第１領域の少なくとも一部に発汗ゾーンを形成させると共に第２領域の少なくとも一部に発汗ゾーンにおいて発汗した入浴者に対して清涼感を体感させ得る涼感ゾーンを形成させるようにミスト噴出手段によるミストの噴出と昇温手段による温度の上昇とを制御する手段であって、発汗ゾーンを形成した後に操作受付手段から出力される操作指示信号に応じて、発汗ゾーンを形成するためのミスト噴出手段及び昇温手段に対する制御を継続すると共に、ミスト噴出手段及び昇温手段の少なくとも一方から入浴者に清涼感を体感させるための涼感流体を送り出させて涼感ゾーンを形成するゾーン分離空調制御を行う。
【０００８】
本発明によれば、実体物によらずに分離形成されている第１領域と第２領域とに対し、第１領域には高温多湿の発汗ゾーンを、第２領域には涼感ゾーンをそれぞれ形成することができるので、入浴者がそれらのゾーンに入りやすいように意図的に形成した発汗ゾーン及び涼感ゾーンを提供することができる。また、制御手段によるゾーン分離空調制御が行われている間の意図した時間帯において定常的に発汗ゾーンと涼感ゾーンとを並存形成できるので、浴室の暖気と涼気とを全て入れ替える必要が無くなり、よりエネルギー効率を向上させることもできる。制御手段は、操作受付手段から出力される操作指示信号に応じてゾーン分離空調制御を行うので、入浴者の操作に応じたゾーン分離空調制御が可能となる。また、涼感ゾーンは涼感流体を送り出すことによって形成されているので、入浴者により的確に清涼感を体感させることができる。更に、第１領域及び第２領域は実体物によらずに横並びに分割された位置に形成されているので、入浴者がそれらの間を自由に往来することができる。尚、本発明における「実体物によらずに分離形成されている」とは、第１領域と第２領域とが入浴者が自由に往来可能なように形成されていることを示している。換言すれば、天井から床面に渡るような物理的なカーテン等の仕切り部材で仕切っていないことを示しているものである。よって、第１領域と第２領域との間の床から浴槽の側壁が通常のように立設されていてもよく、第１領域と第２領域との間の天井側部材から下方に向けて、入浴者の移動を妨げない程度の長さを持つ仕切り部材が垂下して設けられていてもよいものである。
【０００９】
また本発明に係る浴室ミストサウナ装置においては、制御手段によるゾーン分離空調制御によって、入浴者が発汗ゾーンと涼感ゾーンとの間を往来可能なように浴室空間を構成し、浴室空間内において入浴者が発汗と清涼感の体感とを交互に体験することができるサイクル入浴を可能とすることも好ましい。この好ましい態様によれば、入浴者は第１領域に形成された発汗ゾーンと、第２領域に形成された涼感ゾーンとを自らが意図したタイミングで往来することが可能となり、自身にとってより好ましいタイミングでクールダウンすることが可能となる。
【００１０】
また本発明に係る浴室ミストサウナ装置においては、制御手段は、発汗ゾーンを所定以上の温度及び所定以上の湿度となる高温ミスト雰囲気とする一方で、涼感ゾーンを高温ミストのない雰囲気とするように涼感流体を送り出してゾーン分離空調制御を行い、涼感流体は、高温ミストよりも低温の低温ミスト、及び発汗ゾーンの温度よりも低温の涼風の少なくとも一方によって構成されることも好ましい。この好ましい態様によれば、発汗ゾーンを高温ミスト雰囲気とすることで入浴者の発汗をより効果的に促すことができると共に、涼感ゾーンを高温ミスト雰囲気としないことによって発汗ゾーンにいた入浴者に対してより的確に清涼感を感じさせることができる。また、涼感ゾーンを形成する涼感流体は低温ミスト及び涼風の少なくとも一方によって構成されているので、涼感ゾーンの形成を迅速かつ的確に行うことができる。
【００１１】
また本発明に係る浴室ミストサウナ装置においては、ミスト噴出手段は、発汗ゾーンを形成するための第１ミスト噴出手段と涼感ゾーンを形成するための第２ミスト噴出手段とを有し、第２ミスト噴出手段は低温ミストを噴出することも好ましい。この好ましい態様によれば、発汗ゾーンを形成するための第１ミスト噴出手段とは別途設けられた第２ミスト噴出手段から低温ミストを噴出するので、低温ミストを涼感ゾーンを形成するための第２領域に向けて的確に噴出できる。
【００１２】
また本発明に係る浴室ミストサウナ装置においては、操作受付手段が出力する操作指示信号は、ゾーン分離空調制御を開始することを指示する開始指示信号、あるいは、ゾーン分離空調制御を停止することを指示する停止指示信号を含み、制御手段は、操作受付手段から開始指示信号が出力されたことに応じてゾーン分離空調制御を開始し、操作受付手段から停止指示信号が出力されたことに応じてゾーン分離空調制御を停止することも好ましい。この好ましい態様によれば、制御手段は開始指示信号の出力から停止指示信号の出力までの間にゾーン分離空調制御を行うので、入浴者の操作に応じたゾーン分離空調制御をより的確に行うことが可能となる。
【００１３】
また本発明に係る浴室ミストサウナ装置においては、制御手段は、ゾーン分離空調制御を行っている間において所定条件を満たした場合に、涼感ゾーンの形成態様を遷移させることも好ましい。この好ましい態様によれば、例えば所定の指示信号の出力や所定の温度環境の形成といった所定条件を満たした場合に、涼感ゾーンを拡大したり縮小したりという形成態様の遷移を行うので、入浴者の多様な要望に対応する涼感ゾーンの提供が可能となる。
【００１４】
また本発明に係る浴室ミストサウナ装置においては、制御手段は、所定の操作指示信号の出力に応じて涼感ゾーンを拡大させることも好ましい。この好ましい態様によれば、所定の操作指示信号の出力に応じて涼感ゾーンを拡大するので、例えばより広い範囲で清涼感を求める入浴者の要望に応じた涼感ゾーンの形成が可能となる。また、所定の操作指示信号が出力されるまでは涼感ゾーンを小さく維持することもできるので、入浴者の要望に応じた迅速な涼感ゾーンの形成が可能となる。
【００１５】
また本発明に係る浴室ミストサウナ装置においては、制御手段は、所定の操作指示信号の出力に応じて涼感ゾーンの温度を更に下げさせることも好ましい。この好ましい態様によれば、所定の操作指示信号の出力に応じて涼感ゾーンの温度を更に下げるので、例えばより強い清涼感を求める入浴者の要望に応じた涼感ゾーンの形成が可能となる。
【００１６】
また本発明に係る浴室ミストサウナ装置においては、制御手段は、所定の条件を満たすまで開始指示信号を受け付けないことも好ましい。この好ましい態様によれば、例えば発汗ゾーンの温度が低い場合などのように発汗ゾーンの形成が未完の場合に開始指示信号を受け付けないようにすることができるので、涼感ゾーンの形成による発汗ゾーンの温度降下を極力抑制できる。
【００１７】
また本発明に係る浴室ミストサウナ装置においては、操作受付手段は、ゾーン分離空調制御を開始する操作を受け付ける開始操作受付部を有し、開始操作受付部が操作されたことに応じて、ゾーン分離空調制御への移行を報知することも好ましい。この好ましい態様によれば、開始操作受付部がゾーン分離空調制御の開始操作を受け付けたことに応じて、ゾーン分離空調制御への移行を入浴者に報知することができるので、入浴者の意図しない涼感ゾーンの形成を抑制できる。また、入浴者への報知としては、音や映像による報知や、２段階操作の要求といった報知のように様々な態様を採用することができるので、入浴者や浴室の状況に応じた報知が可能となる。
【００１８】
また本発明に係る浴室ミストサウナ装置においては、操作受付手段は、低温ミストを噴出させる操作を受け付ける低温ミスト操作受付部と、涼風を送り出させる操作を受け付ける涼風操作受付部とをそれぞれ独立して有することも好ましい。この好ましい態様によれば、低温ミスト操作受付部と涼風操作受付部とを独立して有しているので、入浴者の要望に応じた低温ミストのみの噴出や涼風のみの送り出しを行うことができる。
【発明の効果】
【００１９】
本発明によれば、多様な入浴者のニーズに応えることが可能で、より快適性を追求した浴室ミストサウナ装置を提供することができるのみならず、快適感と省エネ性能をも両立させることができる。
【発明を実施するための最良の形態】
【００２０】
以下、添付図面を参照しながら本発明の好適な実施の形態について説明する。説明の理解を容易にするため、各図面において同一の構成要素に対しては可能な限り同一の符号を付して、重複する説明は省略する。
【００２１】
本発明の実施形態に係る浴室ミストサウナ装置を使用する態様について図１を参照しながら説明する。図１は、浴室ミストサウナ装置を構成する浴室空調機本体１０を浴室ユニットＢＲに取り付けた一例を説明するための図である。
【００２２】
浴室ユニットＢＲは、集合住宅や戸建住宅に浴室を設ける際に用いられるものであり、壁、床、天井、浴槽といった構成部材を組み立てて浴室とするものである。浴室ユニットＢＲは、床部材２０と、壁部材２１，２２，２３と、天井部材２４とを備えている。壁部材２１，２２，２３は床部材２０の周囲に立設させて取り付けられている。壁部材２１と壁部材２３とは互いに対向した位置に設けられている。壁部材２２は、壁部材２１と壁部材２３とに隣接して設けられている。尚、図１には明示しないが、壁部材２２と対向する位置に壁部材が設けられており、この壁部材は壁部材２１と壁部材２３とに隣接している。また、床部材２０と対向するように天井部材２４が設けられている。
【００２３】
壁部材２１には、窓２１１が設けられている。この窓２１１は、窓ガラスを窓枠によって保持することで構成されている。窓枠は壁部材２１にはめ込まれている。壁部材２２には、カウンター部分２２１と収納棚２２３とが設けられている。カウンター部分２２１にはシャワー水栓２２２が取り付けられている。壁部材２３には、浴室ユニットＢＲに出入りするための扉２３１が設けられている。
【００２４】
床部材２０には浴槽ＢＴが設けられている。浴槽ＢＴは直方体を成す升状の形態となっており、浴槽ＢＴを構成する四つの壁のうちの三つの壁が壁部材２１，２２及び図１に明示しない壁部材に沿って配置されている。従って、浴槽ＢＴの一つの壁は床部材２０の略中央付近に立設された状態になっている。
【００２５】
天井部材２４は、平坦な天井部分２４１とドーム型の天井部分２４２とで構成されている。天井部分２４１は浴槽ＢＴの略直上に、天井部分２４２は浴槽ＢＴが設けられていない床部材２０の略直上にそれぞれ配置されている。天井部分２４１には浴室空調機本体１０が取り付けられている。浴室空調機本体１０から噴出されるミストや送出される風は、ルーバー（図１においては明示しない）によって浴室ユニットＢＲ内の意図した部分に送り出すことが可能なように構成されている。
【００２６】
引き続いて、本実施形態である浴室ミストサウナ装置によって実現可能なゾーン空調制御について説明する。ゾーン空調制御とは、浴室空間を意図的に異なるゾーンに分離して空調制御を行うゾーン分離空調制御と、浴室空間を単一ゾーンとして空調制御を行う単一ゾーン空調制御とを含む概念である。図２は、ゾーン空調制御の第１例を示す図である。図２の（ａ）はゾーン空調制御の第１段階を、図２の（ｂ）はゾーン空調制御の第２段階を、図２の（ｃ）はゾーン空調制御の第３段階を、それぞれ示している。
【００２７】
尚、図２においては、浴槽ＢＴのリムの一端にベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００２８】
図２の（ａ）に示すゾーン空調制御の第１段階では、ベンチカウンター２２４に着座している入浴者Ｈに発汗を促すように発汗流体ＨＦを送り出す。この第１段階では、入浴者Ｈの近傍を高温多湿の発汗ゾーンとするので、発汗流体ＨＦは温風と高温のミストで構成されており、その発汗流体ＨＦが予め定められた位置であるベンチカウンター２２４近傍に向けて送り出されている。より具体的には、温風が吹き出されつつ高温のミストが噴出されることで発汗流体ＨＦが構成されている。
【００２９】
本実施形態のこの段階においては、発汗流体ＨＦは、温風と高温のミストとによって構成されているが、高温ミスト雰囲気を構築できる態様であれば他の態様も採用可能である。例えば、温風に代えて赤外線による昇温手段を用いてもよい。また、高温のミストに代えて蒸気を用いてもよい。また、常温の水によるミストを噴出し、噴出された常温のミストを温風を吹き出すことによって加熱して高温のミストにする態様を用いてもよい。
【００３０】
ここで、発汗流体ＨＦが送り出される様子を図２及び図３を参照しながら説明する。図３の（ａ）は、鏡２２５が設けられた壁面側から浴室ユニットＢＲを見通した図である。図３の（ｂ）は、天井側から浴室ユニットＢＲを見通した図である。図３に示すように、浴室空調機本体１０から高温多湿の発汗流体ＨＦが送り出されている。発汗流体ＨＦは、ベンチカウンター２２４に着座した入浴者Ｈに効果的に当たるように、浴室ユニットＢＲの略中央付近に立設している浴槽ＢＴの側壁ＢＴ３に当たらないような角度で送り出されている。発汗流体ＨＦは、洗い場側から浴槽ＢＴ側を見る方向において、洗い場の全幅に渡るように送り出されている（図３の（ｂ）参照）。
【００３１】
従って、少なくともベンチカウンター２２４の近傍を含む洗い場一帯が高温ミスト雰囲気ＨＡとなっており、図３の場合には浴室ユニットＢＲ内部のほぼ全域が高温ミスト雰囲気ＨＡとなっている。この場合において、浴室ユニットＢＲ内は単一ゾーン空調制御が行われるモード（第２モード）でゾーン空調制御されており、少なくともベンチカウンター２２４の近傍に発汗ゾーンが形成されると共に、実質的には浴室内部のほぼ全域に発汗ゾーンが形成されている。
【００３２】
図２に戻り、図２の（ｂ）に示すゾーン空調制御の第２段階では、浴室空調機本体１０から送り出される発汗流体ＨＦは、ベンチカウンター２２４の近傍に絞って送り出されている。この場合発汗流体ＨＦは、ベンチカウンター２２４の周辺に向けて送り出されているので、ベンチＢＴ１やベンチＢＴ２の周辺は、ベンチカウンター２２４の周辺に比較して入浴者Ｈが清涼感を感じうる涼感ゾーンになっている。従って、ベンチカウンター２２４に着座してミストサウナ浴を行っていた入浴者Ｈが息苦しくなどなった場合には、ベンチＢＴ１やベンチＢＴ２に退避して清涼感を感じることができる。
【００３３】
このゾーン空調制御の第２段階では、浴室ユニットＢＲ内に発汗ゾーンと涼感ゾーンとが形成されるゾーン分離空調制御が行われるモード（第１モード）でゾーン空調制御されている。また、発汗ゾーンはベンチカウンター２２４の近傍に形成されており、涼感ゾーンはベンチＢＴ１及びベンチＢＴ２の周辺に形成されている。従って、浴室ユニットＢＲの洗い場側を第１領域として、浴室ユニットＢＲの浴槽ＢＴ側を第２領域として、浴室空間が分割されている。
【００３４】
一方で、入浴者Ｈがミストサウナ浴をして発汗しようとする際にベンチカウンター２２４に着座する領域は少なくとも、高温ミスト雰囲気が維持される発汗ゾーンとなるように継続的に制御されている。従って、図２の（ｂ）に示すように入浴者Ｈが退避した後に、サイクル入浴（ミストサウナ浴と退避とを交互に行う入浴）のためにベンチカウンター２２４の発汗ゾーンに戻って来た場合には、即座に快適なミストサウナ浴を楽しむことができる。
【００３５】
続いて、図２の（ｃ）に示すゾーン空調制御の第３段階では、浴室空調機本体１０から送り出される発汗流体ＨＦは図２の（ｂ）に示す第２段階と同様である。第３段階では、ベンチＢＴ２の領域に向けて涼風及び低温ミストからなる涼感流体ＣＦを送り出している。従って、ベンチカウンター２２４に着座してミストサウナ浴を行っていた入浴者Ｈが息苦しくなったり、特に暑くなったりした場合には、ベンチＢＴ２に退避することでより効果的に清涼感を感じることができる。また、浴槽ＢＴに水３０を張っておくことで入浴者Ｈの足元を冷やすことができ、更により効果的に清涼感を感じることができる。
【００３６】
本実施形態では、この浴槽への水張を自動で行うように構成されている。なお、本実施形態では涼感流体ＣＦとして、浴室ユニットＢＲ内の空気をヒータを介さずに循環させた風を涼風とし、低温ミストとして常温の水を噴射しているが、涼感流体ＣＦの態様はこれに限られない。例えば涼感流体ＣＦとして、涼風のみ、あるいは、低温ミストのみでもよい。また、涼風は、屋外の外気、浴室外の隣室空気、冷凍機で冷やした冷気、または、発汗ゾーンの温風よりも低い温度で加熱した温風などでもよい。このように涼感流体ＣＦの態様が多種多様に取りうるのは、涼感の感覚は人それぞれであり、また、涼感の感覚は季節や外気温によってもことなるため、都度最適なものが選択できるようにすることが好ましいためである。また、低温ミストも常温の水ではなく、冷凍機で冷やした冷水や、発汗ゾーンの高温ミストより低い温度で加温した低温のミストなどでもよい。
【００３７】
図４は、ゾーン空調制御の第３段階を説明するための図である。図４の（ａ）は、鏡２２５が設けられた壁面側から浴室ユニットＢＲを見通した図であり、図４の（ｂ）は、浴室ユニットＢＲを天井側から見通した図である。図４の（ａ）に示すように、浴室空調機本体１０から高温多湿の発汗流体ＨＦが、ベンチカウンター２２４に着座した入浴者Ｈに効果的に当たるように、浴槽ＢＴの側壁ＢＴ３に当たらないような角度で送り出されている。また、涼感流体ＣＦは、予め定められた第２領域内にある浴槽ＢＴ内に向けて送り出され、浴槽ＢＴ内及びその上部空間に滞留している。従って、第２領域内において予め定められた位置にあるベンチＢＴ２の近傍において、入浴者Ｈを取り囲んで、入浴者Ｈを略内包するような大きさの空間としての涼感ゾーンを確実に形成するように制御されている。入浴者を略内包するような大きさとは、入浴者がそこに入ったことを実感可能な程度の大きさであれば足り、必ずしも入浴者全体を内包する必要はない。例えば、上半身のみを内包してもよく、上半身及び膝から上の下半身を内包してもよい。
【００３８】
なお、本実施形態では、浴槽ＢＴ内に水を張ることで、足元まで涼感流体ＣＦで涼感を与える必要がないように工夫をしている。これは、浴室ユニットＢＲ内に涼感流体ＣＦを送り出す量を増やすのに応じて浴室ユニットＢＲ内の温度は必然的に低下し、発汗ゾーンの高温ミスト雰囲気を維持するためにエネルギー消費が過大に起こるので、涼感流体ＣＦの流入量を極力増やさないようにするためである。また、足元を冷やすことで強い涼感を人間は得ることができるためでもある。いずれにしても、涼感流体ＣＦの流入量を極力増やさずに適度で快適な涼感を得ることができるようにすることで、発汗ゾーンの温度降下を抑制し、発汗ゾーンのミスト環境確保のための無駄なエネルギー消費を抑制して快適なサイクル入浴を提供できるようにしている。
【００３９】
図４の（ｂ）に示すように、発汗流体ＨＦと涼感流体ＣＦとは、浴室ユニットＢＲの対角線上にほぼ沿って互いに反対側に向けて噴出されている。従って、発汗流体ＨＦと涼感流体ＣＦとが混ざり合いにくく、発汗ゾーンＨＺと涼感ゾーンＣＺとが効果的に形成できる。
【００４０】
上述したゾーン空調制御の第１例ではゾーン分離空調制御時（ゾーン空調制御の第２段階及び第３段階）は常に、予め設定されているベンチカウンター２２４を含む洗い場領域が第１領域になり、浴室ユニットＢＲにおける残余の領域が常に第２領域になるように制御されているものである。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００４１】
尚、上述した第１例におけるゾーン空調制御の第３段階においては、発汗流体ＨＦを温風と高温のミストとで構成したが、温風のみによって構成することも好ましい。高温ミストによる発汗性を考慮すると、高温ミストの粒径は極力小さいことが好ましいため、ゾーン分離空調制御の段階においては涼感ゾーンＣＺにおける清涼感に影響を与える可能性があるためである。従って、ゾーン分離空調制御の段階であるゾーン空調制御の第３段階において、発汗流体ＨＦから高温のミストを除外することで、発汗ゾーンＨＺと涼感ゾーンＣＺとをより的確に分離できる。
【００４２】
発汗流体ＨＦを温風のみによって構成した場合であっても、涼感流体ＣＦは涼風と低温ミストとによって構成してもよく、いずれか一方のみによって構成してもよい。低温ミストによる冷却性を考慮すると、低温ミストの粒径は高温ミストの粒径よりも大きくすることが好ましいため、低温ミストの浮遊による発汗ゾーンＨＺへの影響を抑制することができるためである。
【００４３】
このように、発汗流体ＨＦとして温風のみを用い、涼感流体ＣＦとして涼風及び／又は低温ミストを用いることは、換言すれば、発汗ゾーンＨＺが所定以上の温度となるように発汗流体ＨＦを送り出す一方で、涼感ゾーンＣＺが発汗ゾーンＨＺの温度に対して少なくとも発汗ゾーンＨＺの温度に応じて定められる所定温度以上低い温度となるように涼感流体ＣＦを送り出すことである。
【００４４】
引き続いて、本実施形態である浴室ミストサウナ装置によって実現可能なゾーン空調制御の第２例及び第３例について説明する。図５は、ゾーン空調制御の第２例及び第３例を示す図である。図５の（ａ）はゾーン空調制御の第２例における第１段階を、図５の（ｂ）はゾーン空調制御の第２例における第２段階を、図５の（ｃ）はゾーン空調制御の第３例を、それぞれ示している。
【００４５】
尚、図５においては図２と同様に、浴槽ＢＴのリムにベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００４６】
図５の（ａ）に示すゾーン空調制御の第１段階では、ベンチカウンター２２４に着座している入浴者Ｈ１と、ベンチＢＴ１に着座している入浴者Ｈ２に発汗を促すように発汗流体ＨＦが送り出される。この場合、ベンチカウンター２２４とベンチＢＴ１とが配置されている位置が予め決定されている位置であって、少なくともこの予め決定されている位置を取り囲んで高温多湿の発汗ゾーンが形成されるように浴室空調機本体１０から発汗流体ＨＦが送り出される。従って、ベンチカウンター２２４の近傍を含む洗い場一帯と、ベンチＢＴ１の近傍を含む浴槽ＢＴの一部とが発汗ゾーンとなっている。
【００４７】
続いて、図５の（ｂ）に示すゾーン空調制御の第２段階では、浴室空調機本体１０から送り出される発汗流体ＨＦは、図５の（ａ）の場合よりもやや絞った態様で、予め定められた位置であるベンチカウンター２２４の近傍を含む領域を狙って送り出されている。この第２例の場合は、複数の入浴者を想定しており、第２段階においても発汗ゾーンに入浴者Ｈ１及びＨ２が入ることが可能なように発汗流体ＨＦを送り出している。
【００４８】
第２段階では、予め定められた位置である浴槽ＢＴ内のベンチＢＴ２の領域に向けて涼風及び低温ミストからなる涼感流体ＣＦを送り出している。従って、ベンチＢＴ１に着座してミストサウナ浴を行っていた入浴者Ｈ２が息苦しくなどなった場合には、ベンチＢＴ２に退避することでより効果的に清涼感を感じることができる。また、浴槽ＢＴに水３２を張っておくことで、更により効果的に清涼感を感じることができる。
【００４９】
この第２例では、涼感ゾーン形成時においても、発汗ゾーンのミスト環境を入浴者Ｈ１が快適にミストサウナ浴ができるように維持確保する必要があること、及び入浴者Ｈ２が発汗エリアに戻ってきた際にも快適にミストサウナ入浴できるように涼感ゾーン形成時においても発汗ゾーンを比較的大きくエリア確保しておく必要があるということが第１例と相違する制御内容である。
【００５０】
具体的には、第２例では、上記の理由から発汗ゾーンと涼感ゾーンを離し分離構成することが難しく近接してしまう状況になるため、涼感流体ＣＦと発汗流体ＨＦとが混ざってしまい涼感ゾーンにおいては涼感程度が低くなり、反対に発汗ゾーンにおいては温度降下を生じてしまう。そのために、涼感ゾーンでは、涼感程度を強くするように涼感流体ＣＦの温度を低くしたり、局所的に涼感流体ＣＦを速く送り出したりするなどの制御を行うことが望ましい。
【００５１】
また、第１例の第３段階（図２の（ｃ））では、発汗ゾーンに入浴者が存在しないため、温度、湿度、及びミスト粒径などを最適なミスト環境に必要な状況に維持する必要がないことから、これらを犠牲にして、発汗ゾーンの温度降下を抑制することを重視する制御を行うことが好ましい。例えば、発汗流体ＨＦの温度を高くしたり、高温ミストの粒径を大きくして温度降下を抑制するなどの対応を行うことが最適と言える。しかし、第２例では、発汗ゾーンに入浴者が残る可能性があるため、上記の第１例のような極端な制御を行うことができず、涼感流体ＣＦの送り出しに伴う温度降下と、最適なミストサウナ環境の維持とがある程度最適に両立するように制御することが必要である。本実施形態では、これらの知見に基づいて、第１例と第２例とでは異なった制御が行われている。
【００５２】
続いて、図５の（ｃ）に示すゾーン空調制御の第３例では、ゾーン空調制御の第２例の第２段階（図５の（ｂ））が２ゾーン分離のゾーン分離空調制御を行っているのに対して、３ゾーン分離のゾーン分離空調制御を行っている例である。２ゾーン分離と３ゾーン分離との相違点は、３ゾーン分離が、浴室空調機本体１０から噴出される発汗流体ＨＦの位置を図５の（ｂ）に示す２ゾーン分離の場合よりも絞って、発汗ゾーンと涼感ゾーンとをより効果的に形成すると共に、何も噴出されていない中間ゾーンを形成している点である。中間ゾーンと涼感ゾーンとは、それぞれにおいて入浴者が異なった涼感を得ることができる退避ゾーンとして形成される。
【００５３】
上述したゾーン空調制御の第２例及び第３例では、ベンチカウンター２２４を含む洗い場領域を第１領域とし、浴室ユニットＢＲにおける残余の領域（ベンチＢＴ１、浴槽ＢＴ内を含む）を第２領域としている。従って、実体物によって分離されていない一つの空間として構成された浴室ユニットＢＲ内を、予め定められた第１領域と第２領域とに区分し、第１領域の少なくとも一部には発汗ゾーンを形成させると共に、第２領域の少なくとも一部であるベンチＢＴ１，ＢＴ２に常に涼感ゾーンを形成している。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００５４】
引き続いて、本実施形態である浴室ミストサウナ装置によって実現可能なゾーン空調制御の第４例について図６を参照しながら説明する。第４例は、涼感ゾーンを浴槽側の空間ではなく洗い場に発汗ゾーンと並設する形で構成した例を示すものである。図６の（ａ）は第４例のゾーン空調制御の第１段階を、図６の（ｂ）は第４例のゾーン空調制御の第２段階を、それぞれ示している。
【００５５】
図６においては、浴槽ＢＴのリムにベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００５６】
図６の（ａ）に示すゾーン空調制御の第１段階では、ベンチカウンター２２４に着座している入浴者Ｈに発汗を促すように発汗流体ＨＦが送り出される。この場合、ベンチカウンター２２４が配置されている位置が予め決定されている位置であって、少なくともこの予め決定されている位置を取り囲んで高温多湿の発汗ゾーンが形成されるように浴室空調機本体１０から発汗流体ＨＦが送り出される。従って、ベンチカウンター２２４の近傍を含む洗い場一帯が発汗ゾーンとなっている。ここで、高温ミストＨＭを噴出する様子は、第１例において図３を参照しながら説明したのと同様である。
【００５７】
続いて、図６の（ｂ）に示すゾーン空調制御の第２段階では、浴室空調機本体１０から送り出される発汗流体ＨＦの位置を、ベンチカウンター２２４側に絞っている。ベンチＢＴ２の領域に向けて涼風及び低温ミストからなる涼感流体ＣＦを送り出している。従って、ベンチカウンター２２４に着座してミストサウナ浴を行っていた入浴者Ｈが息苦しくなったり暑くなったりした場合には、洗い場の反対側に移動してベンチＢＴ２に退避することでより効果的に清涼感を感じることができる。
【００５８】
図７は、第４例の洗い場に発汗ゾーンと涼感ゾーンとを並設して形成する構成の変形パターンであって、ゾーン空調制御の第５例を説明するための図である。図７の（ａ）は、鏡２２５が設けられた壁面側から浴室ユニットＢＲを見通した図であって涼感流体ＣＦが噴出されている部分を示している。また、図７の（ｂ）は、浴室ユニットＢＲを天井側から見通した図である。第４例との相違点は、涼感ゾーンＣＺの位置を、ベンチＢＴ１ではなく洗い場のコーナー部に位置させたものであり、起立した状態で涼感ゾーンで涼感を得るようにした点である。図７の（ａ）（ｂ）に示すように、この第５例の方が涼感流体ＣＦを浴室ユニットＢＲのコーナー部に指向させて狭く送り出すことができるため、発汗ゾーンＨＺの発汗流体ＨＦとの混ざりを抑制しやすく、第４例より発汗ゾーンＨＺ、涼感ゾーンＣＺを好適な形で独立共存させやすい。
【００５９】
また、この第５例では、更に工夫を施しているものであって、それは、図７の（ａ）で示すように、涼感ゾーンの床面近傍まで涼感流体ＣＦが届かないように構成していることである。これによって、洗い場に立って清涼感を得ている入浴者は、足元だけは発汗流体ＨＦの作用により温度が若干低い状態で適度に涼しく、適度に暖かい状態を維持できるため、体に優しく、快適に涼感を得ることができる。また、床面を伝って発汗流体ＨＦと、涼感流体ＣＦが混ざるのを緩和でき、発汗ゾーンの温度降下を抑制できるという効果を奏することもできる。
【００６０】
また、図７の（ｂ）に示すように、発汗流体ＨＦと涼感流体ＣＦとは互いに所定の角度を持つように離隔して洗い場側に噴出されているので、発汗流体ＨＦと涼感流体ＣＦとが混ざり合いにくく、発汗ゾーンと涼感ゾーンとが効果的に形成できる。
【００６１】
上述したゾーン空調制御の第４例及び第５例では、ベンチカウンター２２４を含む洗い場領域の一部を第１領域とし、浴室ユニットＢＲにおける洗い場領域の残余の領域を第２領域としている。従って、実体物によって分離されていない一つの空間として構成された浴室ユニットＢＲ内を、予め定められた第１領域と第２領域とに区分し、第１領域の少なくとも一部には発汗ゾーンを形成させると共に、第２領域の少なくとも一部には涼感ゾーンを形成させている。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００６２】
引き続いて、本実施形態である浴室ミストサウナ装置によって実現可能なゾーン空調制御の第６例について説明する。図８は、ゾーン空調制御の第６例を示す図である。図８の（ａ）はゾーン空調制御の第１段階を、図８の（ｂ）はゾーン空調制御の第２段階を、図８の（ｃ）はゾーン空調制御の第３段階を、それぞれ示している。
【００６３】
尚、図８においては、浴槽ＢＴのリムにベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００６４】
図８の（ａ）に示すゾーン空調制御の第１段階では、浴槽ＢＴ内のベンチＢＴ２に着座している入浴者Ｈに発汗を促すように発汗流体ＨＦが送り出される。この場合、浴槽ＢＴ内のベンチＢＴ２が配置されている位置が予め決定されている位置であって、少なくともこの予め決定されている位置を取り囲んで高温多湿の発汗ゾーンが形成されるように浴室空調機本体１０から発汗流体ＨＦが送り出される。従って、ベンチＢＴ２の近傍を含む浴槽ＢＴが発汗ゾーンとなっている。
【００６５】
ここで、発汗流体ＨＦを送り出す様子を図９を参照しながら説明する。図９の（ａ）は、鏡２２５が設けられた壁面側から浴室ユニットＢＲを見通した図である。図９の（ｂ）は、天井側から浴室ユニットＢＲを見通した図である。図９に示すように、浴室空調機本体１０から高温多湿の発汗流体ＨＦが送り出されている。発汗流体ＨＦは、浴槽ＢＴ内のベンチＢＴ２に着座した入浴者Ｈに効果的に当たるように、浴槽ＢＴの内部に向けて噴出されている。
【００６６】
浴槽ＢＴ内に向けて送り出された発汗流体ＨＦは、浴槽ＢＴの側壁に沿って循環し、浴槽ＢＴを含む領域一帯が発汗ゾーンとなっている。また、浴槽ＢＴにはベンチＢＴ２の座面よりも下までお湯が張られており、ベンチＢＴ２に着座している入浴者Ｈの発汗をより促している。発汗流体ＨＦは、浴槽ＢＴの全幅に渡るように送り出されている（図９の（ｂ）参照）。従って、ベンチＢＴ２の近傍を含む浴槽一帯が発汗ゾーンとなっている。
【００６７】
図８に戻り、図８の（ｂ）に示すゾーン空調制御の第２段階では、浴室空調機本体１０から送り出される発汗流体ＨＦの位置は図８の（ａ）に示す第１段階と同様である。この場合発汗流体ＨＦは浴槽ＢＴ内に向けて送り出されているので、ベンチＢＴ１の周辺は、入浴者Ｈが清涼感を感じうる涼感ゾーンになっている。従って、ベンチＢＴ２に着座してミストサウナ浴を行っていた入浴者Ｈが息苦しくなどなった場合には、ベンチＢＴ１に退避して清涼感を感じることができる。
【００６８】
続いて、図８の（ｃ）に示すゾーン空調制御の第３段階では、浴室空調機本体１０から送り出される発汗流体ＨＦの位置は図８の（ｂ）に示す第２段階と同様である。第３段階では、ベンチカウンター２２４の領域に向けて涼風及び低温ミストからなる涼感流体ＣＦを送り出している。従って、ベンチＢＴ２に着座してミストサウナ浴を行っていた入浴者Ｈが暑く感じて涼感流体を受けてクールダウンしたいと思った場合には、ベンチカウンター２２４に退避することでより効果的に清涼感を感じることができる。
【００６９】
なお、この第６例で更に工夫されていることは、涼感ゾーンの中心をベンチカウンター２２４の浴槽ＢＴより遠い位置に設定していることである。これは、涼感流体ＣＦが浴槽内ＢＴ内に入り込んで発汗ゾーンの発汗流体ＨＦと混ざって発汗ゾーンの温度降下を生じさせないようにしているものである。このようにできるのは、涼感流体ＣＦの噴射範囲が、発汗流体ＨＦの噴射範囲のように、完全に入浴者を取り囲むほどに広くする必要がないため可能になっているものである。
【００７０】
上述したゾーン分離空調制御の第６例では、ベンチＢＴ２を含む浴槽ＢＴが存在する浴槽領域を第１領域とし、浴室ユニットＢＲにおける残余の領域及び洗い場のベンチカウンター２２４の特に非浴槽側を第２領域としている。従って、実体物によって分離されていない一つの空間として構成された浴室ユニットＢＲ内を、予め定められた第１領域と第２領域とに区分し、第１領域の少なくとも一部には発汗ゾーンを形成させると共に、第２領域の少なくとも一部には涼感ゾーンを形成させている。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００７１】
引き続いて、本実施形態である浴室ミストサウナ装置によって実現可能なゾーン空調制御の第７例について説明する。図１０は、ゾーン空調制御の第７例を示す図である。図１０の（ａ）はゾーン空調制御の第１段階を、図１０の（ｂ）は第７例における特徴的なゾーン空調制御の第２段階を、図１０の（ｃ）はゾーン空調制御の第３段階を、それぞれ示している。第７例は、発汗ゾーンや涼感ゾーンを浴室空間のどの部分に形成するかに主眼を置いているものではなく、涼感ゾーンを形成する際に一時的に涼感を強くするための涼感流体ＣＦの送り出し制御について説明するためのものである。従って、第７例は上述した第１例〜第６例のいずれとも組み合わせて適用することが可能な制御形態である。
【００７２】
図１０においては、浴槽ＢＴのリムにベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００７３】
図１０の（ａ）に示すゾーン空調制御の第１段階では、浴槽ＢＴ内のベンチＢＴ２に着座している入浴者Ｈに発汗を促すように発汗流体ＨＦが送り出される。の場合、浴槽ＢＴの位置が予め決定されている位置であって、少なくともこの予め決定されている位置を取り囲んで高温多湿の発汗ゾーンが形成されるように浴室空調機本体１０から発汗流体ＨＦが送り出される。浴槽ＢＴ内に向けた噴出された発汗流体ＨＦは、浴槽ＢＴの側壁に沿って循環し、浴槽ＢＴを含む領域一帯が発汗ゾーンとなっている。また、浴槽ＢＴにはベンチＢＴ２の座面よりも下までお湯が張られており、ベンチＢＴ２に着座している入浴者Ｈの発汗をより促している。
【００７４】
続いて、図１０の（ｂ）に示すゾーン空調制御の第２段階では、浴室空調機本体１０から送り出される発汗流体ＨＦの送り出しを一時的に停止している。発汗流体ＨＦの送り出しを停止している間（好ましくは１分程度）に涼感流体ＣＦの送り出しを開始する。涼感流体ＣＦは、発汗流体ＨＦの送り出しが停止している最初の所定時間内において通常状態よりも多く送り出されている。好ましい一つの形態は、発汗流体ＨＦを構成する高温のミストを噴出していたノズルから涼感流体ＣＦを構成する低温ミストを噴出することで、涼感流体ＣＦの送り出し量を一時的に増やすことである。このように涼感流体ＣＦの送り出し量を増やすことで、ベンチカウンター２２４に着座している入浴者Ｈに、より清涼感を強く感じさせることができる。
【００７５】
また、発汗流体ＨＦが一時的に停止されているため、涼感流体ＣＦと発汗流体ＨＦとが混ざり合うことがなく、涼感流体ＣＦの温度を低く維持することができる。これらのことによって、ミストサウナ入浴していた入浴者が暑くてミストサウナの環境から退避してクールダウンをしたいと思っている最初に強く涼感を与えることができるため、入浴者の要求に合った心地の良いクールダウン環境を提供できる。なお、一時的に発汗ゾーンへの発汗流体ＨＦの噴射が停止されているが、一時的であることに加え、入浴者は、引き続き涼感ゾーンでクールダウンを続けている期間において、発汗ゾーンのミスト環境を再構築可能であるため、次に発汗ゾーンに入浴者が戻ってきた場合においても支障が無く、快適にサイクル入浴を提供できる。
【００７６】
図１０の（ｃ）に示すゾーン分離空調制御の第３段階では、浴室空調機本体１０から送り出される発汗流体ＨＦの位置は図１０の（ａ）の状態より、若干涼感流体ＣＦ側から離れる方向に移動させて両者の混合を抑制できるようにしている。第３段階では、ベンチカウンター２２４の領域に向けて涼風又は低温ミストといった涼感流体３１を噴出している。従って、ベンチＢＴ２に着座してミストサウナ浴を行っていた入浴者Ｈが暑くなったり、息苦しくなったりした場合には、ベンチカウンター２２４に退避することでより効果的に清涼感を感じることができる。
【００７７】
上述したゾーン分離空調制御の第７例では、ベンチＢＴ２を含む浴槽ＢＴが存在する浴槽領域を第１領域とし、浴室ユニットＢＲにおける残余の領域を第２領域としている。従って、実体物によって分離されていない一つの空間として構成された浴室ユニットＢＲ内を、予め定められた第１領域と第２領域とに区分し、第１領域の少なくとも一部には発汗ゾーンを形成させると共に、第２領域の少なくとも一部には涼感ゾーンを形成させている。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００７８】
上述した第７例において、涼感ゾーンを形成していない状態においても、ベンチカウンター２２４に向けて微量の涼感流体ＣＦを噴出することが好ましい。例えば、第７例の制御でサイクル運転をする場合の第１段階において、涼感流体ＣＦを噴出することが好ましい。この好ましい態様を第８例として図１１に示す。図１１の（ａ）は、そのように涼感流体ＣＦを涼感ゾーンの中心となるベンチカウンター２２４の非浴槽ＢＴ側に向けて送り出している様子を示している。図１１の（ａ）のように常時もしくは、短いサイクルで定期的に涼感流体ＣＦを送り出しておくことで、発汗ゾーンの温度降下への影響を抑制しつつ、涼感ゾーンとなる領域の雰囲気温度を効果的に低く保つことができる。
【００７９】
図１１の（ａ）の状態から、図１１の（ｂ）の状態に遷移させると、図１１の（ａ）の状態で微量の涼感流体ＣＦを送り出している領域の温度は、涼感流体ＣＦを送り出す最初の段階から低くなっているので、涼感流体ＣＦが周辺の高温の空気と熱交換されて温度上昇させられないため、涼感ゾーン構築時の初期から効果的に涼感ゾーンを形成できる。入浴者Ｈは、クールダウンしようと思った最初に強い涼感を得たいので、このようにすることで最初から強い涼感を得ることができる第８例の制御は実用上非常に有用であると言える。また、図１１の（ａ）において微量に送り出していた涼感流体ＣＦの温度は少し高めにしておいて、発汗ゾーンの温度降下を抑制し、図１１の（ｂ）の状態にする場合に、涼感流体ＣＦの温度を急激に下げることも好ましい。これらの制御によって、発汗ゾーンの温度降下を抑制しつつ発汗ゾーンから移動してきた入浴者Ｈにより効果的に涼感を与えることができる。上述した図１１の（ａ）から（ｂ）の状態への遷移は、後述する制御手段としてのＣＰＵによる制御によって行われる。制御手段としてのＣＰＵによる制御は、予め定められた条件を満たすことによって行われてもよく、後述する操作受付手段としての浴室操作パネルが操作されたことに応じて出力される操作指示信号の出力に応じて行われてもよい。
【００８０】
引き続いて、本実施形態の第９例を説明する。図１２は、上記本実施形態の第１例及び第２例のように、浴槽ＢＴを涼感ゾーンとする場合に好適な例を示した図である。浴槽ＢＴの内側であって、浴槽ＢＴのリム付近に一対のミストノズルＮ１，Ｎ２が配置されている。また、浴槽ＢＴの内側であって、浴槽ＢＴの床面とリムとの中間近傍に一対のミストノズルＮ３，Ｎ４が配置されている。
【００８１】
ミストノズルＮ１〜Ｎ４からは、上述した涼感流体ＣＦが噴出される。従って、浴槽ＢＴの内部の領域を涼感ゾーンとしたものである。尚、ミストノズルの数は４個に限られるものではなく、浴槽ＢＴの形状や大きさに合わせて適宜設けることが可能である。また、本第９例のように、浴槽ＢＴ内だけを涼感ゾーンにするのではなく、第１例や第２例の浴室ＢＲの天井から涼感流体ＣＦを送り出すものと組み合わせて用いることで、一層確実に涼感ゾーンを形成してもよいことは言うまでも無い。要するに、浴槽ＢＴ内は、凹部空間となっているため、空気が混ざり難いことから、発汗流体ＨＦと涼感流体ＣＦが最適に分離し、温度分離を簡単にかつ好適に行えるものである。なお、本第９例では、浴槽ＢＴ内を涼感ゾーンとして構築しているが、反対に発汗ゾーンを浴槽ＢＴ内に形成するものであってもよいことは言うまでも無い。
【００８２】
続いて、図１３〜図１５に本実施形態における浴槽ＢＴの好適な形態を示す。本実施形態においては、浴槽ＢＴ側を発汗ゾーン又は涼感ゾーンとし、それに対応させて洗い場側を涼感ゾーン又は発汗ゾーンとする場合がある。その場合、浴槽ＢＴ側の気流と洗い場側の気流とを混合させないようにすることが好ましい。より具体的には、図１３に示すように、浴槽ＢＴ内の気流Ｆ１と、洗い場側の気流Ｆ２とを混合させないようにすることが好ましい。
【００８３】
図１４は、そのような好ましい気流の分離を発生させるための浴槽ＢＴのリム形状を示した図である。図１４は、図１３に示す浴槽ＢＴの中央近傍部分Ａを上から見た様子を示す図である。図１４に示すように、浴槽ＢＴの側壁ＢＴ３は、洗い場側に突出した湾曲部ＢＴ３１と、浴槽ＢＴ内側に突出した一対の湾曲部ＢＴ３２，ＢＴ３３とを備えている。一対の湾曲部ＢＴ３２及びＢＴ３３は、湾曲部ＢＴ３１を挟むように形成されている。
【００８４】
湾曲部ＢＴ３１は洗い場側に突出しているので、浴槽ＢＴの内側には凹部を形成している。また、湾曲部ＢＴ３２，ＢＴ３３は浴槽ＢＴ内側に突出しているので、洗い場側には凹部を形成している。従って、浴槽ＢＴ内部の気流Ｆ１は、湾曲部ＢＴ３１が浴槽ＢＴの内側に形成する凹部に沿って流れる。また、洗い場側の気流Ｆ２は、湾曲部ＢＴ３２，ＢＴ３３が洗い場側に形成する凹部に沿って流れる。従って、気流Ｆ１は湾曲部ＢＴ３１の近傍に沿って流れ、気流Ｆ２は湾曲部ＢＴ３２，ＢＴ３３の近傍に沿って流れることになる。湾曲部ＢＴ３２，ＢＴ３３は湾曲部ＢＴ３１の両側に形成されているので、気流Ｆ１及び気流Ｆ２もそれに応じて分かれた位置に形成される。
【００８５】
図１５は、上述したような好ましい気流の分離を発生させるための浴槽ＢＴのリム形状を示した図である。図１５は、図１３に示す浴槽ＢＴの中央近傍部分Ａにおけるリムの断面を示す図である。図１５に示すように、浴槽ＢＴの側壁ＢＴ３は、上端部ＢＴ３６と、上端部ＢＴ３６に繋がる内壁面ＢＴ３４及び外壁面ＢＴ３５とを備えている。内壁面ＢＴ３４及び外壁面ＢＴ３５は、上端部ＢＴ３６に近づくに従って互いに離隔するように湾曲している。浴槽ＢＴ内部の気流Ｆ１は内壁面ＢＴ３４の湾曲に沿って流れ、洗い場側の気流Ｆ２は外壁面ＢＴ３５の湾曲に沿って流れる。従って、気流Ｆ１と気流Ｆ２とは、上端部ＢＴ３６を通過すると互いに離隔するように流れ、互いに混合することを抑制できる。
【００８６】
引き続いて、本実施形態である浴室ミストサウナ装置について説明する。図１６は、浴室ミストサウナ装置ＭＳのブロック構成図である。
【００８７】
図１６に示すように、浴室ミストサウナ装置ＭＳは、ＣＰＵ４０と、ＲＯＭ・ＲＡＭからなる記憶部４１と、洗面所リモコン４２と、浴室内リモコン４３と、第１水温センサー４４と、第２水温センサー４５と、発汗ゾーン側温度センサー４６と、涼感ゾーン側温度センサー４７と、浴室湿度センサー４８と、洗面所湿度センサー４９と、発汗ゾーン側可動ルーバー用モータ５０と、発汗ゾーン側可動ルーバー５０１と、涼感ゾーン側可動ルーバー用モータ５１と、涼感ゾーン側可動ルーバー５１１と、給水・給湯装置５２と、循環ファン駆動モータ５３と、循環ファン５３１と、ポンプ駆動モータ５４と、ミストポンプ５４１と、ダンパー駆動モータ５５と、循環・換気切替ダンパー５５１と、メインバルブ５６と、温ミストバルブ５７と、冷ミストバルブ５８と、排水バルブ５９と、暖房ヒータ６０と、スイッチ６０１と、暖房ヒータ６１と、スイッチ６１１と、暖房ヒータ６２と、スイッチ６２１と、ミストヒータ６３と、スイッチ６３１と、を備えている。引き続いて、各構成要素について説明する。
【００８８】
ＣＰＵ４０は、他の各構成要素から出力される指示信号や状態表示信号を受信し、その受信した信号に基づいて所定の情報処理を行う演算装置である。ＣＰＵ４０は、記憶部４１に格納されているソフトウェアを読み込んで情報処理を行う。
【００８９】
洗面所リモコン４２は、浴室ミストサウナ装置ＭＳが取り付けられる住宅の洗面所に配置されるリモコンである。洗面所リモコン４２に入力される指示は、指示信号としてＣＰＵ４０に送信される。
【００９０】
洗面所リモコン４２の操作パネルの一例を図１７に示す。図１７に示すように、洗面所操作パネル４２１は、操作・表示領域４２ａと、操作領域４２ｂとを備えている。操作領域４２ｂは、蓋４２ｃによって覆うことが可能なように構成されている。
【００９１】
操作・表示領域４２ａには、「止」ボタン、「換気」ボタン、「衣類乾燥」ボタン、「暖房」ボタン、「涼風」ボタン、「２４時間換気」ボタン、「温ミスト」ボタン、「浴室乾燥」ボタン、表示部、「予約」ボタン、「＋」ボタン、「−」ボタンが設けられている。
【００９２】
「止」ボタンは、他のボタンを押下することによって作動中の動作を停止させるためのボタンである。「換気」ボタンは、洗面所内の換気を行うためのボタンであって、このボタンを押下することで、洗面所に設置されている換気装置（図示しない）の動作が開始される。また、「換気」ボタンの押下を繰り返すと、換気装置による換気量が多くなったり、浴室側の換気を停止したりすることができる。この動作の切り替えに応じて、「換気」ボタンの上側に設けられている「強」ランプや「浴室止」ランプが点灯する。
【００９３】
「衣類乾燥」ボタンは、浴室において衣類乾燥を行うためのボタンであって、このボタンを押下することで、ダンパー駆動モータ５５が駆動されて、循環・換気ダンパー５５１が換気側に移動する。また、循環ファン駆動モータ５３が駆動されて、循環ファン５３１が回転する。「衣類乾燥」ボタンの押下を繰り返すと、循環ファン駆動モータ５３の回転数が上昇したり下降したりする。この回転数の切り替えに応じて、「衣類乾燥」ボタンの上側に設けられている「強」ランプや「弱」ランプが点灯する。
【００９４】
「暖房」ボタンは、浴室内において暖房を行うためのボタンであって、このボタンを押下することで、スイッチ６０１，６１１，６２１が閉じられて、暖房ヒータ６０，６１，６２にそれぞれ通電される。「暖房」ボタンの押下を繰り返すと、スイッチ６０１，６１１，６２１のいずれかが開かれて、暖房ヒータ６０，６１，６２への通電が制御される。この通電制御の切り替えに応じて、「暖房」ボタン」上側に設けられている「強」ランプや「弱」ランプが点灯する。
【００９５】
「涼風」ボタンは、浴室内に涼風を吹き出させるためのボタンであって、このボタンを押下することで、スイッチ６０１，６１１，６２１が開かれて、暖房ヒータ６０，６１，６２への通電が停止されると共に、ダンパー駆動モータ５５が駆動されて循環・換気切替ダンパー５５１が循環側に移動する。また、循環ファン駆動モータ５３が駆動されて循環ファン５３１が回転する。「涼風」ボタンの押下を繰り返すと、循環ファン駆動モータ５３の回転数が上昇したり下降したりする。この回転数の切り替えに応じて、「涼風」ボタンの上側に設けられている「強」ランプや「弱」ランプが点灯する。
【００９６】
「２４時間換気」ボタンは、「換気」ボタンによる換気を常に行うためのボタンである。「２４時間換気」ボタンの押下を繰り返すと、通常モードの２４時間換気と、暖房ヒータ６０，６１，６２に通電される冬季モードの２４時間換気とが切り替えられる。この切り替えに応じて、「２４時間換気」ボタンの上側に設けられている「通常」ランプや「冬季」ランプが点灯する。
【００９７】
「温ミスト」ボタンは、浴室内に温水ミストを噴出させるためのボタンである。「温ミスト」ボタンを押下すると、スイッチ６３１が閉じられてミストヒータ６３に通電される。また、ポンプ駆動モータ５４が回転してミストポンプ５４１が駆動され、メインバルブ５６及び温ミストバルブ５７が開かれて浴室内に温水ミストが噴出される。
【００９８】
「浴室乾燥」ボタンは、浴室内を乾燥させるためのボタンである。「予約」ボタンは、上記各動作を行わせる時刻を予約するモードに切り替えるためのボタンである。「＋」ボタン「−」ボタンは、予約モードにおける時刻を調整するためのボタンである。「浴室乾燥」ボタンと「予約」ボタンとの間に配置されている表示部は、予約動作の開始時刻等を表示するための部分である。
【００９９】
操作領域４２ｂには、「温度」ボタン、「風向」ボタン、「音量」ボタン、「時計」ボタンが配置されている。
【０１００】
「温度」ボタンは、温水ミストの温度を調整するためのボタンである。「温度」ボタンを押下すると、ミストヒータ６３への通電が制御されて温水ミストの温度が調整される。「温度」ボタンを繰り返し押下すると、温水ミストの温度が高温、中温、低温と切り替わり、この切り替えに応じて「温度」ボタンの上側に配置されている「高」ランプや「中」ランプや「低」ランプが点灯する。
【０１０１】
「風向」ボタンは、暖房風や涼風の噴出し方向を変えるためのボタンである。「風向」ボタンを押下すると、発汗ゾーン側可動ルーバー用モータ５０や涼感ゾーン側可動ルーバー用モータ５１が回転し、発汗ゾーン側可動ルーバー５０１や涼感ゾーン側可動ルーバー５１１が駆動される。
【０１０２】
「音量」ボタンは、音響装置（図示しない）の音量を調整するためのボタンである。「時計」ボタンは、操作・表示領域４２ａの表示部に表示される時計を調整するためのボタンである。
【０１０３】
図１６に戻り、浴室リモコン４３は、浴室ミストサウナ装置ＭＳが取り付けられる住宅の浴室に着脱自在で入浴者が取り外して手元で操作が可能なように設置されている。浴室リモコン４３に入力される指示は、無線電波を利用して指示信号としてＣＰＵ４０に送信される。
【０１０４】
浴室リモコン４３の操作パネルの一例を図１８に示す。図１８に示すように、浴室操作パネル４３１（操作受付手段）は、表示領域４３ａと、操作領域４３ｂと、タッチパネル式のクールダウン操作・表示領域４３ｃと、ミスト操作領域４３ｄとを備えている。
【０１０５】
表示領域４３ａには、時刻の表示や浴室ミストサウナ装置ＭＳの運転状況の表示がなされる。運転状況の表示としては、「クールダウン中」であるとの表示や、発汗ゾーンの温度の表示や、涼感ゾーンの温度の表示が含まれる。
【０１０６】
操作領域４３ｂには、「電源」ボタン４３ｂａ、「止」ボタン４３ｂｂ、「暖房」ボタン４３ｂｃ、「換気」ボタン４３ｂｄ、「ミストサウナ」ボタン４３ｂｅ、「温冷ミスト」ボタン４３ｂｆ、「足湯給湯」ボタン４３ｂｇが設けられている。
【０１０７】
「電源」ボタン４３ｂａは、浴室ミストサウナ装置ＭＳの主電源を投入するためのボタンである。「電源」ボタン４３ｂａを押下すると主電源が投入され、再度押下すると主電源を切ることができる。「止」ボタン４３ｂｂは、他のボタンを押下することによって作動中の動作を停止させるためのボタンである。
【０１０８】
「暖房」ボタン４３ｂｃは、浴室内において暖房を行うためのボタンであって、このボタンを押下することで、スイッチ６０１，６１１，６２１が閉じられて、電気式の暖房ヒータ６０，６１，６２にそれぞれ通電される。また、循環ファン駆動モータ５３が駆動されて、循環ファン５３１が駆動される。
【０１０９】
「換気」ボタン４３ｂｄは、浴室の湿度や温度の状態に応じて換気時間を設定して最適な時間自動的に換気を行うためのボタンであって、このボタンを押下することで、ダンパー駆動モータ５５が駆動されて、循環・換気ダンパー５５１が換気側に移動する。また、循環ファン駆動モータ５３が駆動されて、循環ファン５３１が上記設定された時間だけ回転する。
【０１１０】
「ミストサウナ」ボタン４３ｂｅは、ミストサウナ浴を行う際に用いるボタンであって、このボタンを押下すると、スイッチ６３１が閉じられてミストヒータ６３に通電される。また、ポンプ駆動モータ５４が回転してミストポンプ５４１が駆動され、メインバルブ５６及び温ミストバルブ５７が開かれて浴室内に温水ミストが噴出される。また、前記した暖房が行われる。
【０１１１】
「温冷ミスト」ボタン４３ｂｆは、温水ミストと冷水ミストを交互に噴出するためのボタンである。このボタンを押下すると、スイッチ６３１が断続的に開閉されてミストヒータ６３がＯＮ、ＯＦＦされる。また、ポンプ駆動モータ５４が回転してミストポンプ５４１が駆動され、メインバルブ５６、温ミストバルブ５７が開かれて浴室内に温水ミスト及び冷水ミストが単一のノズルから交互に噴出される。この温冷ミストは、素肌に熱冷刺激を与えてお肌を引き締めたり、リラックスしたりするために行うものである。
【０１１２】
「足湯給湯」ボタン４３ｂｇは、浴槽へ給湯するためのボタンである。このボタンを押下すると、給水・給湯装置５２から浴槽へ２０センチ程度給湯され、浴槽を足湯として用いることができる。これは、ミストサウナ入浴中の発汗を高める為に足湯状態でミストサウナが楽しめるようにしたものである。また、これにより、発汗流体ＨＦを足元まで噴射させる必要がなくなるため、発汗ゾーンの形成を速くできるとともに、発汗流体ＨＦの噴射量を抑制できるためランニングコストを抑制できるという効果を奏することができる。
【０１１３】
クールダウン操作・表示領域４３ｃはタッチパネル構造として構成されており、タッチ操作することで色が反転するように構成されている。操作ボタンとしては、「涼風」ボタン４３ｃａ（涼風操作受付部）と、「涼水ミスト」ボタン４３ｃｂ（低温ミスト操作受付部）と、「足水給水」ボタン４３ｃｃと、「エスケープモード」ボタン４３ｃｄ（開始操作受付部）と、「頭寒足熱モード」ボタン４３ｃｅと、「露天風呂モード」ボタン４３ｃｆとが設けられている。例えば、図１８に現在示されている状態では、「エスケープモード」ボタン４３ｃｄが操作されていることがわかるようにボタンの色が反転しており、エスケープモードを運転していることが見て取れる。これによって、表示領域４３ａにクールダウン中であることが表示され、エスケープモードであるため、発汗ゾーンが３６℃に設定され、涼感ゾーンが２５℃に設定され、かつクールダウンするための涼感ゾーンの構築時間が１分と設定されていることが読み取れる。
【０１１４】
「涼風」ボタン４３ｃａは、ミストサウナや入浴中において、クールダウンするために予め決定されている涼感ゾーンに強制的に涼風だけを高回転で吹き出させるためのボタンであって、このボタンを押下することで、所定の操作指示信号がＣＰＵ４０に向けて出力される。ＣＰＵ４０はこの操作指示信号に応じた制御動作を行う。その結果、スイッチ６０１が開かれて、暖房ヒータ６０が通電されていれば停止すると共に、ダンパー駆動モータ５５が駆動されて循環・換気切替ダンパー５５１が循環側に移動する。また、循環ファン駆動モータ５３が駆動されて循環ファン５３１が高速に回転する。
【０１１５】
「涼水ミスト」ボタン４３ｃｂは、ミストサウナや入浴中において、クールダウンするために涼感ゾーンに強制的に涼水ミストを最大量噴出させるためのボタンである。「涼水ミスト」ボタン４３ｃｂを押下すると、所定の操作指示信号がＣＰＵ４０に向けて出力される。ＣＰＵ４０はこの操作指示信号に応じた制御動作を行う。その結果、ポンプ駆動モータ５４が最大回転してミストポンプ５４１が駆動され、メインバルブ５６及び冷ミストバルブ５８が開かれて浴室内の予め決定されている涼感ゾーンに涼水ミストが最大量噴出される。
【０１１６】
「足水給水」ボタン４３ｃｃは、浴槽内へ常温の水もしくは、予め決定された低温の温度の水を足元が浸かる程度の２０センチ程度給水するためのボタンである。このボタンを押下すると、給水・給湯装置５２から浴槽へ給水され、浴槽をクールダウン空間として利用することができる。これは、スポーツ後などで足の疲れを癒す為に冷却したり、ミストサウナ入浴中に浴槽側で一時的にクールダウンしたりする際に足元を冷やして強い涼感を与えるために使用されることを想定しているものである。
【０１１７】
「エスケープモード」ボタン４３ｃｄは、本実施形態のポイントとなる操作ボタンであり、このボタンは、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、「エスケープモード」ボタン４３ｃｄを押下することで予め設定された涼感ゾーンに対して涼感流体ＣＦの送り出しが予め決定された仕様に基づいて開始される。これによって、ミストサウナ入浴者が、息苦しくなったり、暑くなったりしたときに浴槽を出ることなく快適にクールダウンが図れ、発汗ゾーンと涼感ゾーンを移動することで待ち時間や移動の苦労なくサイクル入浴を楽しむことができ、快適に長時間の発汗を行え、美肌や健康の促進を図ることができるものである。「エスケープモード」ボタン４３ｃｄが押下されると、所定の操作指示信号がＣＰＵ４０に向けて出力される。ＣＰＵ４０はこの操作指示信号に応じたゾーン分離空調制御の制御動作を行う。「エスケープモード」ボタン４３ｃｄが押下された場合には、何らかの態様で入浴者にゾーン分離空調制御への移行を報知することが好ましい。入浴者への報知としては、音や映像による報知や、２段階操作の要求（再度の「エスケープモード」ボタン４３ｃｄの押下の要求）といった報知のように様々な態様を採用することができるので、入浴者や浴室の状況に応じた報知が可能となる。また、「エスケープモード」ボタン４３ｃｄの押下によるＣＰＵ４０の制御動作は、所定の条件を満たすまで受け付けないようにすることも好ましい。例えば発汗ゾーンの温度が低い場合などのように発汗ゾーンの形成が未完の場合に操作指示信号を受け付けないようにすることができるので、涼感ゾーンの形成による発汗ゾーンの温度降下を極力抑制できる。
【０１１８】
「頭寒足熱モード」ボタン４３ｃｅも、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、この「頭寒足熱モード」ボタン４３ｃｅを押下することで予め決定されている発汗ゾーンにおける入浴者の頭部があると思われる領域に涼感流体ＣＦを送り出すものである。涼感流体としては、涼風を想定している。これに変えて、高温ミストを頭部領域から一時的に退避させるようなことであっても良いものである。いずれにしてもこの頭寒足熱モードは、ミストサウナ入浴者が息苦しいと感じたときに一時的に顔だけでも退避したいと思ったときに使用することを想定しており、「エスケープモード」ボタン４３ｃｄを押下する場合が息苦しさよりも暑いと感じている状態で、クールダウン要求の程度が頭寒足熱モードの方が軽いと想定しているものである。エスケープモード、頭寒足熱モードを使い分けることで一層快適なミストサウナ入力が行えるものである。
【０１１９】
「露天風呂モード」ボタン４３ｃｆは、ミストサウナ中だけでなく、いつでも使用できるように構成されているものである。「露天風呂モード」ボタン４３ｃｆは、湯船に浸かっている入浴者が使用することを想定しているものであって、湯船入浴中において、露天風呂のように頭部が涼しく感じられるように浴槽側の空間に対して涼感流体ＣＦを噴出させるものである。涼感流体ＣＦとしては、涼水ミストを想定している。これによって、頭がのぼせることなく快適に入浴を行えるものである。
【０１２０】
ミスト操作領域４３ｄには、「ミスト感」ボタン４３ｄａと、「涼感」ボタン４３ｄｂと、「風速」ボタン４３ｄｃと、「風向き」ボタン４３ｄｄ，４３ｄｅとが設けられている。
【０１２１】
「ミスト感」ボタン４３ｄａは、「上」側を押下すると浴室内の温度を高めるとともに、相対湿度も高めるようにミスト量を増やし、「下」側を追押下すると浴室内の温度を下げるとともに、相対湿度が下がる為ミスト量を減らすように構成されている。この「ミスト感」ボタン４３ｄａを操作することで表示パネル４３ａのＨＯＴ側の温度表示が連動して上下するように構成されている。
【０１２２】
「涼感」ボタン４３ｄｂは、涼感ゾーンにおける清涼感を増減させるためのボタンである。「涼感」ボタン４３ｄｂの「上」側を押下すると、所定の操作指示信号がＣＰＵ４０に向けて出力される。ＣＰＵ４０はこの操作指示信号に応じた制御動作を行う。その結果、涼感程度を強める為に涼感ゾーンの涼感流体ＣＦの温度を下げ、涼感流体ＣＦが涼水ミストの場合であればミスト粒径を大きくするように制御される。また、涼感流体ＣＦの噴射量を強めるような対策も取られ、これらによって、涼感程度が強く感じられるように制御される。反対に「下」側を押下すると涼感ゾーンの清涼感が低下するように上記と反対の制御が行われる。また、この「涼感」ボタン４３ｄｂを操作することで表示パネル４３ａのＣＯＯＬ側の温度表示が連動して上下するように構成されている。
【０１２３】
「風速」ボタン４３ｄｃは、暖房風や涼風の噴出し速度を変更するためのボタンである。「風速」ボタン４３ｄｃの「高」側を押下すると風速が高くなり、「低」側を押下すると風速が低くなる。
【０１２４】
「風向き」ボタン４３ｄｄ，４３ｄｅは、発汗ゾーンに対する風向と範囲を独立して変更する発汗側十字ボタンである「風向き」ボタン４３ｄｄと、涼感ゾーンに対する風向と範囲を独立して変更する涼感側十字ボタンである「風向き」ボタン４３ｄｅとに分けて設けられており、暖房風や涼風の噴出し方向を変えるためのボタンである。発汗側の「風向き」ボタン４３ｄｄを押下すると、発汗ゾーン側可動ルーバー用モータ５０が回転し、発汗ゾーン側可動ルーバー５０１が駆動される。涼感側の「風向き」ボタン４３ｄｅを押下すると、涼感ゾーン側可動ルーバー用モータ５１が回転し、涼感ゾーン側可動ルーバー５１１が駆動される。
【０１２５】
浴室内リモコン４３には浴室操作パネル４３１の裏側に詳細設定パネルが設けられている。図１９〜図２１に詳細設定パネル４３２の例を示す。図１９に示す例は、エスケープモードにおける詳細設定パネル４３２の状態を示した図である。図２０に示す例は、頭寒足熱モードにおける詳細設定パネル４３２の状態を示した図である。図２１に示す例は、露天風呂モードにおける詳細設定パネル４３２の状態を示した図である。尚、詳細設定パネル４３２は、図１９に示すように設定画面４３２ａと、操作キー４３２ｂとが設けられている。図２０及び図２１においては、設定画面４３２ａのみを示している。
【０１２６】
図１９に示すように、エスケープモードにおける詳細設定パネル４３２では、大項目として「涼感条件設定」「涼感ゾーンの構築条件設定」「分離形態」が設定可能なように表示されている。
【０１２７】
「涼感条件設定」には、「ＡＵＴＯ」と「マニュアル設定」との二つの条件が設けられている。「ＡＵＴＯ」では、涼感ゾーンに対する涼感程度と、発汗ゾーンに対するミスト環境の維持を自動に最適化するものであるが、ＡＵＴＯ設定でもその程度を変更できるように「発汗ゾーンの温度維持優先」か「涼感ゾーンの涼感優先」かが選択できる。これは、涼感ゾーンを形成するに当たり、涼感流体ＣＦを送り出すと、ゾーン分離制御を行っても必然的に発汗ゾーンの温度が降下してしまうことに起因する。涼感を得たいという要求と、次にサイクル入浴のために発汗ゾーンに入った場合における発汗ゾーンのミスト環境を最適に保っておきたいという相反する要求とを如何にしておきたいかという程度を使用者の要求に合わせられるようにしているものである。
【０１２８】
「発汗ゾーンの温度維持優先」を選択すると、発汗ゾーンの温度が下がらず、涼感ゾーンから発汗ゾーンに戻って来た際に待つことなく快適なミストサウナ浴ができるようにすることを優先するものであって、ＣＰＵ４０が暖房ヒータ６０，６１，６２に通電し、温度を高めるようにしているとともに、涼感流体ＣＦの温度を高めに、かつ涼感流体ＣＦの送り出し量を少なくしている。一方、「涼感ゾーンの涼感優先」を選択すると、発汗ゾーンの温度が若干低下し、快適なミスト環境になるまで若干の時間を必要としても涼感ゾーンにおける涼感をより最適に得ることができるようにＣＰＵ４０が暖房ヒータ６０，６１，６２への通電を抑制する一方で、所定期間高温ミストの噴霧を停止したり、涼感流体の温度を下げかつ噴射量も多くなるように制御している。
【０１２９】
「マニュアル設定」では、涼感を得る程度や制御内容を好みの嗜好に合わせて細かく設定するものであって、「エスケープモード」ボタン４３ｃｄを操作した際に設定内容に沿って制御されるようにするものである。内容的には、「涼感媒体設定」「涼風設定」「自動湯／水張り設定」が設定可能なように構成されている。「涼感媒体設定」では、涼感ゾーンに対する涼感流体ＣＦが、「涼風＋涼水ミスト」か「涼水のみ」か「涼風のみ」かが選択可能なように構成されている。「涼風設定」では、「エアコン駆動」か「外気導入」か「洗面所空気導入」か「浴室内空気循環」かが設定可能なように構成されている。先の物ほど涼感程度が強いものである。
【０１３０】
「エアコン駆動」とは、浴室に設けられた冷凍機を駆動して強制的に冷却された冷風を送り込む設定である。「外気導入」とは、屋外の空気を導入して涼風を送り込む設定である。「洗面所空気導入」とは、洗面所側の空気をダクトを介して導入して涼風を送り込む設定である。「浴室内空気循環」とは、浴室内の空気を循環させて涼風を送り込む設定である。
【０１３１】
「自動湯／水張り設定」では、「ＯＮ」か「ＯＦＦ」かが選択可能なように構成されている。「ＯＮ」では、エスケープモード時に自動的に浴槽内に足元が浸かる２０センチ程度の「湯」か「水」を張るように制御されるものであって、湯を張るか水を張るかを好みに応じて自由に選択可能なように構成されている。「湯」を選択すると、ＣＰＵ４０は給水・給湯装置５２に湯を張るように指示信号を出力する。「水」を選択すると、ＣＰＵ４０は給水・給湯装置５２に水を張るように指示信号を出力する。
【０１３２】
「涼感ゾーンの構築条件設定」では、「常時構築」か「自動サイクル構築」か「マニュアル設定時構築」かが選択可能なように構成されている。
【０１３３】
「常時構築」を選択すると、発汗ゾーンに対して涼感ゾーンが常に構築されるようにＣＰＵ４０が制御を行う。「自動サイクル構築」を選択すると、設定したサイクル数で発汗ゾーンに対して予め設定されたエリアに涼感ゾーンが設定された時間だけ自動的に形成されるようにＣＰＵ４０が制御を行う。サイクルの設定は、「発汗時間」「涼感時間」「発汗サイクル数」の設定により行うことができ、設定された発汗時間後に、涼感ゾーンを構築開始し、設定された涼感時間だけ涼感ゾーンを構築して、涼感ゾーンを消失させるように制御するもので、このサイクルを設定された発汗サイクル数だけ行うものである。
【０１３４】
「マニュアル設定時構築」を選択すると、入浴者の操作に応じて涼感ゾーンが形成されるようにＣＰＵ４０が制御を行う。「マニュアル設定時構築」では、「ＯＮ／ＯＦＦ方式」と「ＯＮ後所定時間涼感ゾーン構築」とが設定可能である。「ＯＮ／ＯＦＦ方式」は、入浴者の操作に応じて涼感ゾーンの構築を行い、またその構築を解除する方式である。「ＯＮ後所定時間涼感ゾーン構築」は、入浴者の操作に応じて設定された時間（図１９においては１分間）涼感ゾーンの構築を行い、その時間の経過後に構築を解除する方式である。
【０１３５】
「分離形態」では、「３ゾーン分離」か「２ゾーン分離」かが選択可能なように構成されている。「分離形態」ではまた、２ステップの涼感ゾーン形成か、１ステップの涼感ゾーン形成かが選択可能なように構成されている。
【０１３６】
「３ゾーン分離」とは、図５の（ｃ）を参照しながら説明した涼感ゾーンの形成態様であり、発汗ゾーンと涼感ゾーンとの間に中間ゾーンを設けるものである。「２ゾーン分離」とは、発汗ゾーンと涼感ゾーンとに分離するものである。
【０１３７】
２ステップの涼感ゾーン形成とは、図２の（ｂ）を参照しながら説明したように、「エスケープモード」ボタン４３ｃｄを一回押すと高温ミストＨＭの噴出を絞るミスト退避モードとなり、２回ボタンを押すと始めて涼感流体ＣＦを噴出するモードに遷移するものである。１ステップの涼感ゾーン形成とは、「エスケープモード」ボタン４３ｃｄを一度押すと涼感流体ＣＦの噴出を即座に開始するものである。クールダウンに対する嗜好と、発汗ゾーンの環境維持の観点から選択設定されることを想定している。
【０１３８】
図２０に示すように、頭寒足熱モードにおける詳細設定パネル４３２では、大項目として「頭部への涼感条件設定」「頭部涼感ゾーンの構築条件設定」が設定可能なように表示されている。
【０１３９】
「頭部への涼感条件設定」には、「ＡＵＴＯ」と「マニュアル設定」との二つの条件が設けられている。「ＡＵＴＯ」では、涼感ゾーンに対する涼感程度と、発汗ゾーンに対するミスト環境の維持を自動に最適化するものであるが、ＡＵＴＯ設定でもその程度を変更できるように「発汗ゾーンの温度維持優先」か「涼感ゾーンの涼感優先」かが選択できる。これは、涼感ゾーンを形成するに当たり、涼感流体ＣＦを送り出すと、ゾーン分離制御を行っても必然的に発汗ゾーンの温度が降下してしまうことに起因する。涼感を得たいという要求と、次にサイクル入浴のために発汗ゾーンに入った場合における発汗ゾーンのミスト環境を最適に保っておきたいという相反する要求とを如何にしておきたいかという程度を使用者の要求に合わせられるようにしているものである。
【０１４０】
「発汗ゾーンの温度維持優先」を選択すると、発汗ゾーンの温度が下がらず、涼感ゾーンから発汗ゾーンに戻って来た際に待つことなく快適なミストサウナ浴ができるようにすることを優先するものであって、ＣＰＵ４０が暖房ヒータ６０，６１，６２に通電し、温度を高めるようにしているとともに、涼感流体ＣＦの温度を高めに、かつ涼感流体ＣＦの送り出し量を少なくしている。一方、「涼感ゾーンの涼感優先」を選択すると、発汗ゾーンの温度が若干低下し、快適なミスト環境になるまで若干の時間を必要としても涼感ゾーンにおける涼感をより最適に得ることができるようにＣＰＵ４０が暖房ヒータ６０，６１，６２への通電を抑制する一方で、所定期間高温ミストの噴霧を停止したり、涼感流体の温度を下げかつ噴射量も多くなるように制御している。
【０１４１】
「マニュアル設定」では、涼感を得る程度や制御内容を好みの嗜好に合わせて細かく設定するものであって、「エスケープモード」ボタン４３ｃｄを操作した際に設定内容に沿って制御されるようにするものである。内容的には、「涼感媒体設定」「涼風設定」が設定可能なように構成されている。「涼感媒体設定」では、涼感ゾーンに対する涼感流体ＣＦが、「頭部からミストを退避」か「涼風＋涼水ミスト」か「涼水のみ」か「涼風のみ」かが選択可能なように構成されている。「涼風設定」では、「エアコン駆動」か「外気導入」か「洗面所空気導入」か「浴室内空気循環」かが設定可能なように構成されている。先の物ほど涼感程度が強いものである。
【０１４２】
「エアコン駆動」とは、浴室に設けられた冷凍機を駆動して強制的に冷却された冷風を送り込む設定である。「外気導入」とは、屋外の空気を導入して涼風を送り込む設定である。「洗面所空気導入」とは、洗面所側の空気をダクトを介して導入して涼風を送り込む設定である。「浴室内空気循環」とは、浴室内の空気を循環させて涼風を送り込む設定である。
【０１４３】
「頭部涼感ゾーンの構築条件設定」では、「常時頭寒足熱モード」か「自動サイクル構築」か「マニュアル設定時構築」かが選択可能なように構成されている。
【０１４４】
「常時頭寒足熱モード」を選択すると、発汗ゾーンに対して涼感ゾーンが常に構築されるようにＣＰＵ４０が制御を行う。「自動サイクル構築」を選択すると、設定したサイクル数で発汗ゾーンに対して予め設定されたエリアに涼感ゾーンが設定された時間だけ自動的に形成されるようにＣＰＵ４０が制御を行う。サイクルの設定は、「発汗時間」「頭部涼感時間」「発汗サイクル数」の設定により行うことができ、設定された発汗時間後に、涼感ゾーンを構築開始し、設定された涼感時間だけ涼感ゾーンを構築して、涼感ゾーンを消失させるように制御するもので、このサイクルを設定された発汗サイクル数だけ行うものである。
【０１４５】
「マニュアル設定時構築」を選択すると、入浴者の操作に応じて涼感ゾーンが形成されるようにＣＰＵ４０が制御を行う。「マニュアル設定時構築」では、「ＯＮ／ＯＦＦ方式」と「ＯＮ後所定時間涼感ゾーン構築」とが設定可能である。「ＯＮ／ＯＦＦ方式」は、入浴者の操作に応じて涼感ゾーンの構築を行い、またその構築を解除する方式である。「ＯＮ後所定時間涼感ゾーン構築」は、入浴者の操作に応じて設定された時間（図２０においては１分間）涼感ゾーンの構築を行い、その時間の経過後に構築を解除する方式である。
【０１４６】
図２１に示すように、露天風呂モードにおける詳細設定パネル４３２では、大項目として「涼感条件設定」「露天風呂モードの構築条件設定」が設定可能なように表示されている。
【０１４７】
「涼感条件設定」には、「ＡＵＴＯ」と「マニュアル設定」との二つの条件が設けられている。「ＡＵＴＯ」では、涼感ゾーンに対する涼感程度と、発汗ゾーンに対するミスト環境の維持を自動に最適化するものであるが、ＡＵＴＯ設定でもその程度を変更できるように「発汗ゾーンの温度維持優先」か「涼感ゾーンの涼感優先」かが選択できる。これは、涼感ゾーンを形成するに当たり、涼感流体ＣＦを送り出すと、ゾーン分離制御を行っても必然的に発汗ゾーンの温度が降下してしまうことに起因する。涼感を得たいという要求と、次にサイクル入浴のために発汗ゾーンに入った場合における発汗ゾーンのミスト環境を最適に保っておきたいという相反する要求とを如何にしておきたいかという程度を使用者の要求に合わせられるようにしているものである。
【０１４８】
「発汗ゾーンの温度維持優先」を選択すると、発汗ゾーンの温度が下がらず、涼感ゾーンから発汗ゾーンに戻って来た際に待つことなく快適なミストサウナ浴ができるようにすることを優先するものであって、ＣＰＵ４０が暖房ヒータ６０，６１，６２に通電し、温度を高めるようにしているとともに、涼感流体ＣＦの温度を高めに、かつ涼感流体ＣＦの送り出し量を少なくしている。一方、「涼感ゾーンの涼感優先」を選択すると、発汗ゾーンの温度が若干低下し、快適なミスト環境になるまで若干の時間を必要としても涼感ゾーンにおける涼感をより最適に得ることができるようにＣＰＵ４０が暖房ヒータ６０，６１，６２への通電を抑制する一方で、所定期間高温ミストの噴霧を停止したり、涼感流体の温度を下げかつ噴射量も多くなるように制御している。
【０１４９】
「マニュアル設定」では、涼感を得る程度や制御内容を好みの嗜好に合わせて細かく設定するものであって、「エスケープモード」ボタン４３ｃｄを操作した際に設定内容に沿って制御されるようにするものである。内容的には、「涼感媒体設定」「涼風設定」が設定可能なように構成されている。「涼感媒体設定」では、涼感ゾーンに対する涼感流体ＣＦが、「涼風＋涼水ミスト」か「涼水のみ」か「涼風のみ」かが選択可能なように構成されている。「涼風設定」では、「エアコン駆動」か「外気導入」か「洗面所空気導入」か「浴室内空気循環」かが設定可能なように構成されている。先の物ほど涼感程度が強いものである。
【０１５０】
「エアコン駆動」とは、浴室に設けられた冷凍機を駆動して強制的に冷却された冷風を送り込む設定である。「外気導入」とは、屋外の空気を導入して涼風を送り込む設定である。「洗面所空気導入」とは、洗面所側の空気をダクトを介して導入して涼風を送り込む設定である。「浴室内空気循環」とは、浴室内の空気を循環させて涼風を送り込む設定である。
【０１５１】
「露天風呂モード構築条件設定」では、「常時露天風呂モード」か「自動サイクル構築」か「マニュアル設定時構築」かが選択可能なように構成されている。
【０１５２】
「常時露天風呂モード」を選択すると、発汗ゾーンに対して涼感ゾーンが常に構築されるようにＣＰＵ４０が制御を行う。「自動サイクル構築」を選択すると、設定したサイクル数で発汗ゾーンに対して予め設定されたエリアに涼感ゾーンが設定された時間だけ自動的に形成されるようにＣＰＵ４０が制御を行う。サイクルの設定は、「発汗時間」「頭部涼感時間」「発汗サイクル数」の設定により行うことができ、設定された発汗時間後に、涼感ゾーンを構築開始し、設定された涼感時間だけ涼感ゾーンを構築して、涼感ゾーンを消失させるように制御するもので、このサイクルを設定された発汗サイクル数だけ行うものである。
【０１５３】
「マニュアル設定時構築」を選択すると、入浴者の操作に応じて涼感ゾーンが形成されるようにＣＰＵ４０が制御を行う。「マニュアル設定時構築」では、「ＯＮ／ＯＦＦ方式」と「ＯＮ後所定時間涼感ゾーン構築」とが設定可能である。「ＯＮ／ＯＦＦ方式」は、入浴者の操作に応じて涼感ゾーンの構築を行い、またその構築を解除する方式である。この場合、入浴者による「エスケープモード」ボタン４３ｃｄの操作に応じてゾーン分離空調制御を開始することを指示する開始指示信号がＣＰＵ４０に向けて出力される。ＣＰＵ４０はこの開始指示信号に応じた制御動作を行って、涼感ゾーンを形成する。涼感ゾーンが形成された後に入浴者が「エスケープモード」ボタン４３ｃｄを操作すると、この操作に応じてゾーン分離空調制御を停止することを指示する停止指示信号がＣＰＵ４０に向けて出力される。ＣＰＵ４０はこの停止指示信号に応じた制御動作を行って、涼感ゾーンの形成を終了する。上述したように、「エスケープモード」ボタン４３ｃｄの押下によるＣＰＵ４０の制御動作は、所定の条件を満たすまで受け付けないようにすることも好ましい。例えば発汗ゾーンの温度が低い場合などのように発汗ゾーンの形成が未完の場合に開始指示信号を受け付けないようにすることができるので、涼感ゾーンの形成による発汗ゾーンの温度降下を極力抑制できる。「ＯＮ後所定時間涼感ゾーン構築」は、入浴者の操作に応じて設定された時間（図２１においては１分間）涼感ゾーンの構築を行い、その時間の経過後に構築を解除する方式である。
【０１５４】
図１６に戻り、第１水温センサー４４は、冷ミストバルブ５８側の水温を測定するためのセンサーである。第２水温センサー４５は温ミストバルブ５７側の水温を測定するためのセンサーである。
【０１５５】
発汗ゾーン側温度センサー４６は、予め定められている発汗ゾーン側の温度を測定するためのセンサーである。発汗ゾーン側温度センサー４６は、発汗ゾーンが浴槽側に設けられている場合は浴槽近傍に、発汗ゾーンが洗い場側に設けられている場合は洗い場近傍にそれぞれ配置されている。
【０１５６】
涼感ゾーン側温度センサー４７は、予め定められている涼感ゾーン側の温度を測定するためのセンサーである。涼感ゾーン側温度センサー４７は、涼感ゾーンが浴槽側に設けられている場合は浴槽近傍に、涼感ゾーンが洗い場側に設けられている場合は洗い場近傍にそれぞれ配置されている。
【０１５７】
浴室湿度センサー４８は、浴室内の湿度を測定するためのセンサーであり、浴室内に設置されている。洗面所湿度センサー４９は、洗面所内の湿度を測定するためのセンサーであり、洗面所内に設置されている。
【０１５８】
第１水温センサー４４、第２水温センサー４５、発汗ゾーン側温度センサー４６、涼感ゾーン側温度センサー４７、浴室湿度センサー４８、及び洗面所湿度センサー４９から出力される測定信号はＣＰＵ４０に出力される。
【０１５９】
発汗ゾーン側可動ルーバー用モータ５０は、予め定められている発汗ゾーン側に対応して設置されている発汗ゾーン側可動ルーバー５０１を駆動するためのモータである。涼感ゾーン側可動ルーバー用モータ５１は、予め定められている発汗ゾーン側に対応して設置されている涼感ゾーン側可動ルーバー５１１を駆動するためのモータである。発汗ゾーン側可動ルーバー用モータ５０及び涼感ゾーン側可動ルーバー用モータ５１は、ＣＰＵ４０からの指示信号に基づいて回転する。
【０１６０】
給水・給湯装置５２は、浴槽への給水及び給湯を行うための装置である。給水・給湯装置５２は、ＣＰＵ４０からの指示信号に応じて浴槽への給水及び給湯を行う。
【０１６１】
循環ファン駆動モータ５３は、循環ファン５３１を駆動するためのモータである。循環ファン５３１は、浴室空調機本体１０内に設けられているファンであって、浴室内へ空気を送出する。循環ファン駆動モータ５３は、ＣＰＵ４０からの指示信号に基づいて回転する。
【０１６２】
ポンプ駆動モータ５４は、ミストポンプ５４１を駆動するためのモータである。ミストポンプ５４１は、メインバルブ５７と温ミストバルブ５８及び冷ミストバルブ５９との間に設けられており、温ミストバルブ５８及び冷ミストバルブ５９に向けて水圧を上昇させている。ポンプ駆動モータ５４は、ＣＰＵ４０からの指示信号に基づいて回転する。
【０１６３】
ダンパー駆動モータ５５は、循環・換気切替ダンパー５５１を駆動するためのモータである。ダンパー駆動モータ５５の回転に応じて、循環・換気切替ダンパー５５１が浴室空調機本体１０内の空調路を循環側と換気側とで切り替わるように構成されている。ダンパー駆動モータ５５は、ＣＰＵ４０からの指示信号に基づいて回転する。
【０１６４】
メインバルブ５６は、浴室ミストサウナ装置ＭＳの配管路において、水道元栓とミストポンプ５４１との間に配置されるバルブである。メインバルブ５６は、ＣＰＵ４０からの指示信号に基づいて開閉動作を行う。
【０１６５】
温ミストバルブ５７は、浴室ミストサウナ装置ＭＳの配管路において、ミストポンプ５４１と温ミストノズル（図１６においては明示しない）との間に配置されるバルブである。温ミストバルブ５７は、ＣＰＵ４０からの指示信号に基づいて開閉動作を行う。
【０１６６】
冷ミストバルブ５８は、浴室ミストサウナ装置ＭＳの配管路において、ミストポンプ５４１と冷ミストノズル（図１６においては明示しない）との間に配置されるバルブである。冷ミストバルブ５８は、ＣＰＵ４０からの指示信号に基づいて開閉動作を行う。
【０１６７】
排水バルブ５９は、浴室ミストサウナ装置ＭＳの配管路において、温ミストバルブ５７と温ミストノズル（図１６においては明示しない）との間から分岐される管路及び冷ミストバルブ５８と冷ミストノズル（図１６においては明示しない）との間から分岐される管路に設けられているバルブである。排水バルブ５９は、ＣＰＵ４０からの指示信号に基づいて開閉動作を行う。
【０１６８】
暖房ヒータ６０，６１，６２は、浴室空調機本体１０内の空調路において、吹き出し口近傍に配置されているヒータである。スイッチ６０１，６１１，６２１は、暖房ヒータ６０，６１，６２への通電を制御するスイッチである。スイッチ６０１，６１１，６２１は、ＣＰＵ４０からの指示信号に基づいて通電制御を行う。
【０１６９】
ミストヒータ６３は、浴室ミストサウナ装置ＭＳの配管路において、温ミストバルブ５７と温ミストノズル（図１６においては明示しない）との間に配置されるヒータである。スイッチ６３１は、ミストヒータ６３への通電を制御するスイッチである。スイッチ６３１は、ＣＰＵ４０からの指示信号に基づいて通電制御を行う。
【０１７０】
引き続いて、浴室ミストサウナ装置ＭＳの配管状態を図２２を参照しながら説明する。図２２は、浴室ミストサウナ装置ＭＳの配管図である。図２２に示すように、水道に接続された上流側から順に、メインバルブ５６、ミストポンプ５４１が接続されている。ミストポンプ５４１の先は温水側と冷水側に管路が分岐している。
【０１７１】
冷水側の管路には、上流側から順に、冷ミストバルブ５８（第２ミスト噴出手段）、第１水温センサー４４、ミストノズル７２（第２ミスト噴出手段）が接続されている。第１水温センサー４４は、冷ミストバルブ５８からミストノズル７２に至る管路の水温を測定している。ミストノズル７２は、涼感ゾーンに向けて冷ミストを噴出している。
【０１７２】
冷ミストバルブ５８とミストノズル７２との間の管路には冷却手段７０を設けることも好ましい。冷却手段７０を設けることにより、冷水側の管路を流れる水を快適な温度まで冷却することができる。
【０１７３】
ミストノズル７２には、粒径変更手段７５やノズル噴出方向変更手段７６を設けることも好ましい。粒径変更手段７５は、ミストノズル７２から噴出される冷ミストの粒径を変更するためのものである。粒径変更手段７５の具体例としては、ミストノズル７２へ供給する水の単位時間当たりの流量を増加させる加圧装置や、ミストノズル７２の噴口の開口面積を変更する装置といったものが例示される。
【０１７４】
ノズル噴出方向変更手段７６は、ミストノズル７２の噴出方向を変更するためのものである。ノズル噴出方向変更手段７６の具体例としては、ミストノズル７２の駆動するアクチュエータが例示される。
【０１７５】
温水側の管路には、上流側から順に、温ミストバルブ５７（第１ミスト噴出手段）、ミストヒータ６３、第２水温センサー４５、ミストノズル７３，７４（第１ミスト噴出手段）が接続されている。ミストヒータ６３は、温ミストバルブ５７からミストノズル７３，７４に至る管路の水を加温している。第２水温センサー４５は、温ミストバルブ５７からミストノズル７３，７４に至る管路の水温を測定している。ミストノズル７３，７４は、発汗ゾーンに向けて温ミストを噴出している。
【０１７６】
ミストノズル７３，７４から噴出される温ミストの温度は、ミストヒータ６３による加熱温度によって調整することが可能である。従って、ミストヒータ６３による加温を行わずにミストノズル７３，７４からミストを噴出することも可能である。これにより、ミストノズル７３，７４から噴出されるミストを温ミストと冷ミストのサイクル噴出とすることができる。
【０１７７】
冷水側の管路の途中と、温水側の管路の途中から分岐して排水管路が設けられている。排水管路には、排水バルブ５９が設けられている。排水バルブ５９の先の排水管路はドレーン７１に繋がっている。
【０１７８】
引き続いて、浴室ミストサウナ装置ＭＳの配管状態の変形例を図２３及び図２４を参照しながら説明する。図２３は、浴室ミストサウナ装置ＭＳの第一の変形例における配管図である。図２３に示すように、水道に接続された上流側から順に、メインバルブ５６、ミストポンプ５４１が接続されている。ミストポンプ５４１の先は第１管路側と第２管路側とに管路が分岐している。
【０１７９】
第１管路側には上流側から順に、ミストヒータ６３、第１ミストバルブ７７（第１ミスト噴出手段、第２ミスト噴出手段）、ミストノズル７３，７４（第１ミスト噴出手段、第２ミスト噴出手段）が接続されている。第２管路側には第２ミストバルブ７８（第１ミスト噴出手段、第２ミスト噴出手段）が接続されている。第２管路は、第１管路の第１ミストバルブ７７とミストノズル７３，７４との間に接続されている。従って、第２管路は、ミストノズル７３，７４に向けてミストヒータ６３を経由しないバイパス管路として機能している。
【０１８０】
第１管路のミストヒータ６３と第１ミストバルブ７７との間からは第３管路が分岐している。第３管路には上流側から順に、第３ミストバルブ７９（第１ミスト噴出手段、第２ミスト噴出手段）、ミストノズル７２（第１ミスト噴出手段、第２ミスト噴出手段）が接続されている。
【０１８１】
第１管路の途中と、第３管路の途中から分岐して排水管路が設けられている。排水管路には、排水バルブ５９が設けられている。排水バルブ５９の先の排水管路はドレーン７１に繋がっている。
【０１８２】
図２３に示す構成の場合、ミストヒータ６３に通電しながら、第１ミストバルブ７７及び第３ミストバルブ７９を開き、第２ミストバルブ７８を閉じると、ミストノズル７２，７３，７４からは温ミストが噴出する。一方、ミストヒータ６３に通電しながら、第１ミストバルブ７７及び第３ミストバルブ７９を開き、第２ミストバルブ７８も開くと、ミストノズル７２からは温度の高い温ミストが、ミストノズル７３，７４からは温度の低い温ミストがそれぞれ噴出する。また、ミストヒータ６３に通電せずに第１ミストバルブ７７及び第３ミストバルブ７９を開くと、ミストノズル７２，７３，７４からは冷ミストが噴出する。図２３に示す構成においては、ミストノズル７２，７３，７４から温ミストを噴出させる際には、第１ミストバルブ７７、第２ミストバルブ７８、第３ミストバルブ７９、ミストノズル７２，７３，７４は、第１ミスト噴出手段として機能する。また、ミストノズル７２，７３，７４から冷ミストを噴出させる際には、第１ミストバルブ７７、第２ミストバルブ７８、第３ミストバルブ７９、ミストノズル７２，７３，７４は、第２ミスト噴出手段として機能する。
【０１８３】
引き続いて、図２４は、浴室ミストサウナ装置ＭＳの第二の変形例における配管図である。図２４に示すように、水道に接続された上流側から順に、メインバルブ５６、ミストポンプ５４１が接続されている。ミストポンプ５４１の先は第１管路側と第２管路側とに管路が分岐している。
【０１８４】
第１管路側には上流側から順に、ミストヒータ６３ａ、第１ミストバルブ８０（第１ミスト噴出手段、第２ミスト噴出手段）、ミストノズル７３，７４（第１ミスト噴出手段、第２ミスト噴出手段）が接続されている。第２管路側には上流側から順に、ミストヒータ６３ｂ、第２ミストバルブ８１（第１ミスト噴出手段、第２ミスト噴出手段）、ミストノズル７２（第１ミスト噴出手段、第２ミスト噴出手段）が接続されている。
【０１８５】
第１管路の途中と、第２管路の途中から分岐して排水管路が設けられている。排水管路には、排水バルブ５９が設けられている。排水バルブ５９の先の排水管路はドレーン７１に繋がっている。
【０１８６】
図２４に示す構成の場合、ミストヒータ６３ａのみに通電しながら、第１ミストバルブ８０及び第２ミストバルブ８１を開くと、ミストノズル７２からは冷ミストが、ミストノズル７３，７４からは温ミストが噴出する。一方、ミストヒータ６３ｂのみに通電しながら、第１ミストバルブ８０及び第２ミストバルブ８１を開くと、ミストノズル７２からは温ミストが、ミストノズル７３，７４からは冷ミストが噴出する。ミストノズル７２，７３，７４から噴出するミストの温度は、ミストヒータ６３ａ，６３ｂそれぞれへの通電状態を制御することで調整することができる。図２４に示す構成においては、ミストノズル７２から冷ミストを噴出させる際には、第２ミストバルブ８１及びミストノズル７２は第２ミスト噴出手段として機能する。一方、ミストノズル７２から温ミストを噴出させる際には、第２ミストバルブ８１及びミストノズル７２は第１ミスト噴出手段として機能する。また、ミストノズル７３，７４から冷ミストを噴出させる際には、第１ミストバルブ８０、ミストノズル７３，７４は、第２ミスト噴出手段として機能する。一方、ミストノズル７３，７４から温ミストを噴出させる際には、第１ミストバルブ８０、ミストノズル７３，７４は、第１ミスト噴出手段として機能する。
【０１８７】
引き続いて、浴室ミストサウナ装置ＭＳを構成する浴室空調機本体１０について図２５，２６，２７を参照しながら説明する。図２５は、浴室空調機本体１０の内部構成を模式的に示した図である。図２６は、図２５の暖房ヒータ６０，６１，６２近傍を示す図であって、図２５の矢印Ａ側から見た図である。図２７は、図２５の暖房ヒータ６０，６１，６２近傍を示す図であって、図２５の矢印Ｂ側から見た図である。
【０１８８】
浴室空調機本体１０は、風路部分１０１と、カバー部分１０２とを備えている。風路部分１０１は、第１風路部分１０１ａ、第２風路部分１０１ｂ、第３風路部分１０１ｃが繋がっている。第１風路部分１０１ａ、第２風路部分１０１ｂ、及び第３風路部分１０１ｃは、互いに９０度の角度を成すように繋がっている。従って、第１風路部分１０１ａから吸い込まれる空気の方向と、第３風路部分１０１ｃから吹き出す空気の方向は互いに１８０度の角度を成している。
【０１８９】
第１風路部分１０１ａと第２風路部分１０１ｂとが繋がる部分の近傍には、循環ファン５３１が設けられている。循環ファン５３１は、浴室ミストサウナ装置ＭＳのＣＰＵ４０からの指示信号に基づいて回転する循環ファン駆動モータ５３によって駆動される（図１６参照）。
【０１９０】
第２風路部分１０１ｂと第３風路部分１０１ｃとが繋がる部分には換気風路１０１ｄが繋がっている。換気風路１０１ｄと第２風路部分１０１ｂ及び第３風路部分１０１ｃとの間には、循環・換気切替ダンパー５５１が設けられている。循環・換気切替ダンパー５５１は、浴室ミストサウナ装置ＭＳのＣＰＵ４０からの指示信号に基づいて回転するダンパー駆動モータ５５によって駆動される（図１６参照）。
【０１９１】
第３風路部分１０１ｃの終端部分には、暖房ヒータ６０，６１，６２が取り付けられている。暖房ヒータ６０，６１，６２は、浴室ミストサウナ装置ＭＳのＣＰＵ４０からの指示信号に基づいて開閉するスイッチ６０１，６１１，６２１によって通電状態が制御される。
【０１９２】
カバー部分１０２は、風路部分１０１を覆うように取り付けられている。カバー部分１０２は風路部分１０１を覆うと共に、浴室ユニットＢＲの天井部材２４における平坦な天井部分２４１（図１参照）との間に所定の隙間を確保した状態で取り付けられている。従って、風路部分１０１に取り付けられている循環ファン５３１が回転すると、カバー部分１０２と天井部分２４１との隙間から空気が吸い込まれる。
【０１９３】
カバー部分１０２の、第３風路部分１０１ｃに対応する部分には、開口部１０２ａが形成されている。この開口部１０２ａには、発汗ゾーン側可動ルーバー５０１が二つと、涼感ゾーン側可動ルーバー５１１が一つ設けられている。一対の発汗ゾーン側可動ルーバー５０１は、暖房ヒータ６１，６２の直下に取り付けられている。涼感ゾーン側可動ルーバー５１１は、暖房ヒータ６０の直下に取り付けられている。
【０１９４】
一対の発汗ゾーン側可動ルーバー５０１の近傍には、ミストノズル７３，７４が設けられている。涼感ゾーン側可動ルーバー５１１の近傍には、ミストノズル７２が設けられている。ミストノズル７２とミストノズル７３，７４とは、開口部１０２ａを挟んで反対側に取り付けられている。従って、ミストノズル７２のミスト噴出方向と、ミストノズル７３，７４のミスト噴出方向とは互いに逆方向になるように構成されている。
【０１９５】
図２５，２６，２７に示す浴室空調機本体１０においては、発汗ゾーンを形成する場合には暖房ヒータ６０，６１，６２に通電した状態で循環ファン５３１を回転させて、温風を浴室内に送出する。この温風送出に併せて、ミストノズル７３，７４から温ミストを噴出して浴室内をミストサウナ空間とする。発汗ゾーンを形成する場合には、発汗ゾーン側可動ルーバー５０１のみならず、涼感ゾーン側可動ルーバー５１１も発汗ゾーン側に向けている。
【０１９６】
一方、涼感ゾーンを形成する場合には、暖房ヒータ６０への通電を停止し、涼風を送出する。この涼風送出に併せて、ミストノズル７２から低温ミストを噴出する。この涼感ゾーンの形成においては、涼感流体ＣＦとして、涼風のみ又は低温ミストのみを送り出すことも好ましい。涼感流体ＣＦとしてどのような態様を採用するかは、図１９〜図２１を参照しながら説明したように、浴室操作リモコン４３における詳細設定による。
【０１９７】
引き続いて、浴室空調機本体１０の第１の変形例を図２８に示す。図２８は、第１の変形例としての浴室空調機本体１０ａの内部構成を模式的に示した図である。図２８に示す浴室空調機本体１０ａは、風路部分１０３と、カバー部分１０４とを備えている。風路部分１０３は、第１風路部分１０３ａ、第２風路部分１０３ｂ、第３風路部分１０３ｃ、第４風路部分１０３ｄ、第５風路部分１０３ｅが繋がっている。
【０１９８】
第１風路部分１０３ａ、第２風路部分１０３ｂ、及び第３風路部分１０３ｃは、互いに９０度の角度を成すように繋がっている。従って、第１風路部分１０３ａから吸い込まれる空気の方向と、第３風路部分１０３ｃから吹き出す空気の方向は互いに１８０度の角度を成している。
【０１９９】
第４風路部分１０３ｄ及び第５風路部分１０３ｅは、第１風路部分１０３ａ、第２風路部分１０３ｂ、及び第３風路部分１０３ｃとは独立して設けられている。第４風路部分１０３ｄ及び第５風路部分１０３ｅは、互いに９０度の角度を成すように繋がっている。第５風路部分１０３ｅは第１風路部分１０３ａと沿うように設けられており、第５風路部分１０３ｅの端部と第１風路部分１０３ａの空気を取り入れる入口とが互いに隣接するように配置されている。
【０２００】
第１風路部分１０３ａと第２風路部分１０３ｂとが繋がる部分の近傍には、循環ファン５３１が設けられている。循環ファン５３１は、浴室ミストサウナ装置ＭＳのＣＰＵ４０からの指示信号に基づいて回転する循環ファン駆動モータ５３によって駆動される（図１６参照）。
【０２０１】
第２風路部分１０３ｂと第３風路部分１０３ｃとが繋がる部分には換気風路１０３ｆが繋がっている。換気風路１０３ｆと第２風路部分１０３ｂ及び第３風路部分１０３ｃとの間には、循環・換気切替ダンパー５５１が設けられている。循環・換気切替ダンパー５５１は、浴室ミストサウナ装置ＭＳのＣＰＵ４０からの指示信号に基づいて回転するダンパー駆動モータ５５によって駆動される（図１６参照）。
【０２０２】
第３風路部分１０３ｃの終端部分には、暖房ヒータ６０，６１，６２が取り付けられている。暖房ヒータ６０，６１，６２は、浴室ミストサウナ装置ＭＳのＣＰＵ４０からの指示信号に基づいて開閉するスイッチ６０１，６１１，６２１によって通電状態が制御される。
【０２０３】
第４風路部分１０３ｄ内には涼風ファン５３１ａが設けられている。涼風ファン５３１ａは循環ファン５３１と同様に、浴室ミストサウナ装置ＭＳのＣＰＵ４０からの指示信号に基づいて回転する循環ファン駆動モータ５３ａによって駆動される。更に、第４風路部分１０３ｄ内には、循環・換気切替ダンパー５５１ａが設けられている。循環・換気切替ダンパー５５１ａは、浴室ミストサウナ装置ＭＳのＣＰＵ４０からの指示信号に基づいて回転するダンパー駆動モータ５５ａによって駆動される。
【０２０４】
図２９に、第４風路部分１０３ｄが洗面所ＤＲの天井に接続されている様子を示す。換気風路１０３ｆは、浴室ユニットＢＲが設置されている家屋の外部と換気可能なように接続されていることも好ましい。第４風路部分１０３ｄはまた、浴室ユニットＢＲに隣接する洗面室ＤＲと換気可能なように接続されていることも好ましい。
【０２０５】
図２８に戻り、カバー部分１０４は、風路部分１０３を覆うように取り付けられている。カバー部分１０４は風路部分１０３を覆うと共に、浴室ユニットＢＲの天井部材２４における平坦な天井部分２４１（図１参照）との間に所定の隙間を確保した状態で取り付けられている。従って、風路部分１０３に取り付けられている循環ファン５３１が回転すると、カバー部分１０４と天井部分２４１との隙間から空気が吸い込まれる。
【０２０６】
カバー部分１０４の、第１風路部分１０３ａに対応する部分には、開口部１０４ａが形成されている。カバー部分１０４の、第３風路部分１０３ｃに対応する部分には、開口部１０４ｂが形成されている。この開口部１０４ｂには、３つの発汗ゾーン側可動ルーバー５０１が設けられている。３つの発汗ゾーン側可動ルーバー５０１は、暖房ヒータ６０，６１，６２の直下に取り付けられている。
【０２０７】
カバー部分１０４の、第５風路部分１０３ｅに対応する部分には、開口部１０４ｃが形成されている。この開口部１０４ｃには、涼感ゾーン側可動ルーバー５１１が設けられている。
【０２０８】
３つの発汗ゾーン側可動ルーバー５０１の内の２つの発汗ゾーン側可動ルーバー５０１の近傍には、ミストノズル７３，７４が設けられている。涼感ゾーン側可動ルーバー５１１の近傍には、ミストノズル７２が設けられている。ミストノズル７２とミストノズル７３，７４とは、開口部１０４ａ，１０４ｂ，１０４ｃを挟んで反対側に取り付けられている。従って、ミストノズル７２のミスト噴出方向と、ミストノズル７３，７４のミスト噴出方向とは互いに逆方向になるように構成されている。
【０２０９】
図２８に示す浴室空調機本体１０ａにおいては、発汗ゾーンを形成する場合には暖房ヒータ６０，６１，６２に通電した状態で循環ファン５３１を回転させて、温風を浴室内に送出する。この温風送出に併せて、ミストノズル７３，７４から温ミストを噴出して浴室内をミストサウナ空間とする。
【０２１０】
一方、涼感ゾーンを形成する場合には、涼風ファン５３１ａを回転させて、涼風を送出する。この涼風送出に併せて、ミストノズル７２から冷ミストを噴出することも好ましい。浴室空調機本体１０ａでは、温風を送出する風路と涼風を送出する風路とが独立して設けられているので、温風と涼風とをそれぞれの要求に合わせてファン回転量を変更でき、より効率的に発汗ゾーンと涼感ゾーンとを形成できる。涼感ゾーンの形成に際しては、第４風路部分１０３ｄから流入させる空気量とほぼ同じ空気量かもしくは若干多めの空気量を、換気風路１０３ｆを通って換気させている。これは、浴室内に外気や隣室（洗面所）からの空気を取り込むと、浴室内の空気圧が高くなり浴室扉のガラリから浴室内空気が隣室（洗面所）に向けて噴出してしまうことを防止するためである。
【０２１１】
図３０に、浴室空調機本体１０ａを設置した例を示す。図３０に示すように、浴槽ＢＴ側を涼感ゾーンとし、洗い場側を発汗ゾーンとするように浴室空調機本体１０ａを設置する。このように設置すると、涼風ＣＷも温風ＨＷも浴室の側壁に沿って循環する。涼風ＣＷは浴槽ＢＴの側壁内側に沿って上昇し、温風ＨＷは浴槽ＢＴの側壁外側に沿って上昇する。従って、浴室ユニットＢＲ内を循環した涼風ＣＷ及び温風ＨＷが開口部１０４ａから効率よく吸引できる。これによって、温風と涼風の気流が浴槽に沿って並行して綺麗に流れる為、二つの気流が混ざり合うのを抑制でき、発汗ゾーン、涼感ゾーンを最適に形成できる。
【０２１２】
引き続いて、浴室空調機本体１０の第２の変形例を図３１，３２に示す。図３１は、第２の変形例としての浴室空調機本体１０ｂの内部構成を模式的に示した図である。図３２は、図３２の矢印Ｃ側から見た図である。
【０２１３】
図３１，３２に示す浴室空調機本体１０ｂは、風路部分１０５と、カバー部分１０６とを備えている。風路部分１０５は、第１風路部分１０５ａ、第２風路部分１０５ｂ、第３風路部分１０５ｃ、第４風路部分１０５ｄが繋がっている。
【０２１４】
第１風路部分１０５ａ、第２風路部分１０５ｂ、及び第３風路部分１０５ｃは、互いに９０度の角度を成すように繋がっている。従って、第１風路部分１０５ａから吸い込まれる空気の方向と、第３風路部分１０５ｃから吹き出す空気の方向は互いに１８０度の角度を成している。
【０２１５】
第４風路部分１０５ｄは、第２風路部分１０５ｂに繋がっており、第３風路部分１０５ｃと並行して設けられている。第４風路部分１０５ｄは第３風路部分１０５ｃと沿うように設けられており、第４風路部分１０５ｄの端部と第３風路部分１０５ｃの端部とが互いに隣接するように配置されている。
【０２１６】
第１風路部分１０５ａと第２風路部分１０５ｂとが繋がる部分の近傍には、循環ファン５３１が設けられている。循環ファン５３１は、浴室ミストサウナ装置ＭＳのＣＰＵ４０からの指示信号に基づいて回転する循環ファン駆動モータ５３によって駆動される（図１６参照）。
【０２１７】
第２風路部分１０５ｂと第３風路部分１０５ｃとが繋がる部分には換気風路１０５ｅが繋がっている。換気風路１０５ｅと第２風路部分１０５ｂ及び第３風路部分１０５ｃとの間には、循環・換気切替ダンパー５５１が設けられている。循環・換気切替ダンパー５５１は、浴室ミストサウナ装置ＭＳのＣＰＵ４０からの指示信号に基づいて回転するダンパー駆動モータ５５によって駆動される（図１６参照）。
【０２１８】
第３風路部分１０５ｃの終端部分には、暖房ヒータ６０，６１，６２が取り付けられている。暖房ヒータ６０，６１，６２は、浴室ミストサウナ装置ＭＳのＣＰＵ４０からの指示信号に基づいて開閉するスイッチ６０１，６１１，６２１によって通電状態が制御される。
【０２１９】
第４風路部分１０５ｄの第２風路部分１０５ｂ側の端部には、涼風ダンパー５５１ｂが設けられている。涼風ダンパー５５１ｂは、浴室ミストサウナ装置ＭＳのＣＰＵ４０からの指示信号に基づいて回転するダンパー駆動モータ５５ｂによって駆動される。涼風ダンパー５５１ｂは、エスケープモードボタン４３ｃｄ（図１８参照）が押下されてエスケープモードがＯＮされると開放されて、涼感ゾーンに涼風が吹き出される。一方、再度エスケープモードボタン４３ｃｄが押下されてエスケープモードがＯＦＦされると、涼風ダンパー５５１ｂは閉じられて、涼感ゾーンの形成が解除される。第４風路部分１０５ｄ内においては、冷凍機８５によって空気の冷却が可能なように構成されてもよい。
【０２２０】
カバー部分１０６は、風路部分１０５を覆うように取り付けられている。カバー部分１０６は風路部分１０５を覆うと共に、浴室ユニットＢＲの天井部材２４における平坦な天井部分２４１（図１参照）との間に所定の隙間を確保した状態で取り付けられている。従って、風路部分１０５に取り付けられている循環ファン５３１が回転すると、カバー部分１０６と天井部分２４１との隙間から空気が吸い込まれる。
【０２２１】
カバー部分１０６の、第１風路部分１０５ａに対応する部分には、開口部１０６ａが形成されている。開口部１０６ａには、３つの発汗ゾーン側可動ルーバー５０１が設けられている。３つの発汗ゾーン側可動ルーバー５０１は、暖房ヒータ６０，６１，６２の直下に取り付けられている。
【０２２２】
カバー部分１０６の、第４風路部分１０５ｄに対応する部分には、開口部１０６ｂが形成されている。この開口部１０６ｂには、涼感ゾーン側可動ルーバー５１１が設けられている。
【０２２３】
３つの発汗ゾーン側可動ルーバー５０１の内の２つの発汗ゾーン側可動ルーバー５０１の近傍には、ミストノズル７３，７４が設けられている。涼感ゾーン側可動ルーバー５１１の近傍には、ミストノズル７２が設けられている。ミストノズル７２とミストノズル７３，７４とは、開口部１０６ａ，１０６ｂを挟んで反対側に取り付けられている。従って、ミストノズル７２のミスト噴出方向と、ミストノズル７３，７４のミスト噴出方向とは互いに逆方向になるように構成されている。
【０２２４】
図３１，３２に示す浴室空調機本体１０ｂにおいては、発汗ゾーンを形成する場合には暖房ヒータ６０，６１，６２に通電した状態で循環ファン５３１を回転させて、温風を浴室内に送出する。この温風送出に併せて、ミストノズル７３，７４から温ミストを噴出して浴室内をミストサウナ空間とする。
【０２２５】
一方、涼感ゾーンを形成する場合には、涼風ダンパー５５１ｂを開いて、冷凍機８５を作動させながら、涼風を送出する。この涼風送出に併せて、ミストノズル７２から冷ミストを噴出することも好ましい。浴室空調機本体１０ｂでは、涼風を送出する第４風路部分１０５ｄが、暖房ヒータ６０，６１，６２をバイパスする形で、温風を送出する第３風路部分１０５ｃとは独立して設けられているので、温風と涼風とが混ざり合いにくく、より効率的に発汗ゾーンと涼感ゾーンとを形成できる。また、暖房ヒータ６０に通電した状態で涼風を提供できるので、発汗ゾーンの温度維持をより的確に行うことができる。
【０２２６】
このように冷凍機８５を用いると、涼感ゾーンの形成に際して浴室内に外気や隣室（洗面所）からの空気を取り込む必要がなくなる。上述したように、浴室空調機本体１０ａでは、外気や隣室（洗面所）からの空気を取り込むため、換気風路１０３ｆによる換気が必要となる。一方、この浴室空調機本体１０ｂでは、外気や隣室（洗面所）からの空気を取り込む必要がなく、浴室内の空気量が変化しないため換気を行う必要がない。従って、発汗ゾーンにおける高温の空気を排出することがなく、発汗ゾーンの温度降下を抑制できる。
【０２２７】
引き続いて、発汗ゾーンと涼感ゾーンを最適に構築するために浴室空調機本体１０ｂから噴出されるミスト及び吹き出される空気を如何に工夫してゾーン分離しているかを説明するために、浴室ユニットＢＲ内のミスト及び空気の流れについて、図３３，３４を参照しながら説明する。図３３，３４においては、浴槽ＢＴ側を涼感ゾーンとし、洗い場側を発汗ゾーンとするようにゾーン分離空調制御を行っている。
【０２２８】
まず、図３３に示すエスケープモードボタンが操作されていない発汗ゾーンのみを構築する場合においては、温風ＨＷを洗い場側の入浴者Ｈに向けて吹き出すように設定し、温ミストＨＭは、温風ＨＷよりも上側に噴出し、温風ＨＷに乗るような形で噴出させている。これは、ミストが床にすぐに落下せず、長い時間浮遊するように工夫しているものであってミスト環境が少ないミストで速く整うようにしているものである。また、高温のミストが直接入浴者に当たることによる不快感を抑制する目的もある。また、温風ＨＷは、浴槽ＢＴの側壁ＢＴ３よりも洗い場側に向けて吹き出している。従って、温ミストＨＭは、温風ＨＷに乗って洗い場側に送り出される。これにより、洗い場側が発汗ゾーンとなり、ベンチカウンター２２４に着座している入浴者Ｈに発汗を促すことができる。
【０２２９】
続いて、エスケープモードボタンが操作され、入浴者がクールダウンする涼感ゾーンを構築する場合について図３４を用いて説明する。エスケープモードボタンが操作されると、温風ＨＷがより天井側である上側に向くように発汗ゾーン側ルーバーを調整すると共に、浴槽ＢＴに向けて冷ミストＣＭと涼風ＣＷとを噴出する。温ミストＨＭは、温風ＨＷに乗って洗い場側に送り出したが、涼感ゾーン側は強い涼感を与えることができるように、冷ミストＣＭを涼風ＣＷの中に入れ込んで送り出している。これにより、涼風ＣＷと共に冷ミストＣＭも入浴者Ｈの体に強く当てることができ、涼感を強く感じさせることができる。
【０２３０】
温風ＨＷを上側に変更することで、温ミストＨＭも温風の影響で上側に変更されていることが見て取れる。このように変更することの目的は、まず、涼風ＣＷと、温風ＨＷを離すことが目的である。これによって、温風ＨＷと涼風ＣＷとが影響し合って発汗ゾーンの温度降下が生じることを抑制し、涼感ゾーン側では涼感程度を強く与えることができる。また、温風ＨＷが浴室ユニットＢＲの側壁から床に沿って流れ、浴槽ＢＴの側壁ＢＴ３の外側に沿って上昇する綺麗な気流が起こるようにしたものである。一方、涼風ＣＷは、浴槽ＢＴ内に沿って流れ、浴槽ＢＴの側壁ＢＴ３の内側に沿って上昇し、やはり綺麗な気流が起こるようにしたものである。側壁ＢＴ３に沿って上昇した温風ＨＷ及び涼風ＣＷが、並行した状態で浴室空調機本体１０ｂ内に綺麗に吸い込まれるようにしたことで、温風ＨＷと涼風ＣＷが混ざり合わず、また、温ミストＨＭ及び冷ミストＣＭが移動して温度が均一化しないように配慮したものである。
【０２３１】
続いて、浴槽ＢＴ側を発汗ゾーンとし洗い場側を涼感ゾーンとした例を、図３５，３６を参照しながら説明する。図３５，３６において説明する例では、浴室空調機本体１０ｂを図３３，３４とは図中左右反転させて取り付けている。
【０２３２】
まず、図３５に示すエスケープモードボタンが操作されていない発汗ゾーンのみを構築する場合においては、温風ＨＷを浴槽ＢＴ内に向けて吹き出すように設定し、温ミストＨＭは、浴槽ＢＴ内にいる入浴者Ｈの頭上上方に向けて噴出させている。これは、ミストが床にすぐに落下せず、長い時間浮遊するように工夫しているものであってミスト環境が少ないミストで速く整うようにしているものである。また、高温のミストが直接入浴者に当たることによる不快感を抑制する目的もある。これにより浴槽ＢＴ側が発汗ゾーンとなり、浴槽ＢＴ内の入浴者Ｈに発汗を促すことができる。
【０２３３】
続いて、図３６に示すように、温風ＨＷがより上側に向くように発汗ゾーン側ルーバーを調整すると共に、洗い場側に向けて冷ミストＣＭと涼風ＣＷとを噴出する。温風ＨＷは、浴槽ＢＴ内に沿って流れ、浴槽ＢＴ側の浴室ユニットＢＲの側壁に沿って上昇する。一方、涼風ＣＷは、浴室ユニットＢＲの側壁及び床に沿って流れ、浴槽ＢＴの側壁ＢＴ３の外側に沿って上昇する。浴室ユニットＢＲの側壁に沿って上昇した温風ＨＷ及び浴槽ＢＴの側壁ＢＴ３に沿って上昇した涼風ＣＷは浴室空調機本体１０ｂ内に吸い込まれる。
【０２３４】
また、温風ＨＷは、浴槽ＢＴの側壁ＢＴ３よりも洗い場側に向けて吹き出している。従って、温ミストＨＭは、温風ＨＷに乗って洗い場側に送り出される。これにより、洗い場側が発汗ゾーンとなり、ベンチカウンター２２４に着座している入浴者Ｈに発汗を促すことができる。
【０２３５】
続いて、エスケープモードボタンが操作され、入浴者がクールダウンする涼感ゾーンを構築する場合について図３６を用いて説明する。エスケープモードボタンが操作されると、温風ＨＷがより天井側である上側に向くように発汗ゾーン側ルーバーを調整すると共に、洗い場側に向けて冷ミストＣＭと涼風ＣＷとを噴出する。涼感ゾーン側は強い涼感を与えることができるように、冷ミストＣＭを涼風ＣＷの中に入れ込んで送り出している。これにより、涼風ＣＷと共に冷ミストＣＭも入浴者Ｈの体に強く当てることができ、涼感を強く感じさせることができる。
【０２３６】
温風ＨＷを上側に変更することの目的は、まず、涼風ＣＷと、温風ＨＷを離すことが目的である。これによって、温風ＨＷと涼風ＣＷとが影響し合って発汗ゾーンの温度降下が生じることを抑制し、涼感ゾーン側では涼感程度を強く与えることができる。また、涼風ＣＷが浴室ユニットＢＲの側壁から床に沿って流れ、浴槽ＢＴの側壁ＢＴ３の外側に沿って上昇する綺麗な気流が起こるようにしたものである。一方、温風ＨＷは、浴槽ＢＴ内に沿って流れ、浴槽ＢＴの側壁ＢＴ３とは反対側の側壁の内側に沿って上昇し、やはり綺麗な気流が起こるようにしたものである。浴槽ＢＴの側壁ＢＴ３とは反対側の側壁に沿って上昇した温風ＨＷ及び浴槽ＢＴの側壁ＢＴ３の外側に沿って上昇した涼風ＣＷが、互いに離隔して浴室空調機本体１０ｂ内に綺麗に吸い込まれるようにしたことで、温風ＨＷと涼風ＣＷが混ざり合わず、また、温ミストＨＭ及び冷ミストＣＭが移動して温度が均一化しないように配慮したものである。
【０２３７】
引き続いて、浴室ミストサウナ装置ＭＳを用いたゾーン分離空調制御について説明する。図３７は、ＣＰＵ４０によるゾーン分離空調制御（エスケープモード）のフローを示したフローチャートである。図３７を参照しながらする説明においては、発汗ゾーンの設定温度を３６℃、涼感ゾーンの温度を２５℃に設定しており、発汗ゾーンの設定温度維持を優先し、涼感環境は自動設定するものとしている。
【０２３８】
まず、涼感ゾーンを形成したか否かのフラグＦが立っているか否かを判断する（ステップＳ０１）。このフラグＦが１であれば、後に説明するステップＳ２０の処理に進む。このフラグＦが０であれば、ステップＳ０２の処理に進む。
【０２３９】
続いて、涼感ゾーンの温度や冷水ミストの温度といった設定値を読み込む（ステップＳ０２）。この設定値は、図１９を参照しながら説明したように、エスケープモードの詳細設定で設定される設定値である。その後、涼感ゾーンを形成するエスケープモードがＯＮになっているか否かを判断する（ステップＳ０３）。エスケープモードボタン４３ｃｄ（図１８参照）が操作されて、エスケープモードがＯＮになっていなければリターンする。エスケープモードボタン４３ｃｄ（図１８参照）が操作されて、エスケープモードがＯＮになっていれば、ステップＳ０４の処理に進む。
【０２４０】
続いて、発汗ゾーンの温度が設定温度（本例では３６℃）に基づいた目標温度範囲に入っているか否かを判断する（ステップＳ０４）。発汗ゾーンの温度が目標温度範囲に入っていなければ、まだ十分に発汗ゾーンが構築されておらず、入浴者がクールダウンするためにエスケープモードの操作を行ったとは考えにくく、誤操作である可能性があること、及び発汗ゾーンが完全ではない状態で涼感流体を噴射することはミストサウナ環境の確保面で好ましくない為、エスケープモードの形成が不可であるとの警告を表示する（ステップＳ０５）とともに、エスケープモードの操作を受け付けない。発汗ゾーンの温度が目標温度範囲に入っていれば、ステップＳ０６の処理に進む。
【０２４１】
続いて、浴槽ＢＴに設定温度の涼水を注入する（ステップＳ０６）。この涼水の注入は、浴槽ＢＴ側が涼感ゾーンとなっている場合に行われる。既に浴槽ＢＴにお湯が張られている場合には、このステップＳ０６はスキップされる。また、浴槽ＢＴ側が発汗ゾーンとなっている場合は、ミストの噴霧開始と共にお湯を強制的に２０センチ程度張るように制御する。
【０２４２】
続いて、涼感ゾーンに向けて循環送風を開始する（ステップＳ０７）。より具体的には、涼風ダンパー５５１ｂ（図３１等参照）を開いて涼風を送りだす。その後、発汗ゾーンの目標温度を上昇させると共に温ミストの粒径を大きくして発汗ゾーンの温度維持を図るようにする。また、温ミストの噴出速度を低下させることで粒径を大きくしたミストが床面に速く落下してミスト感がなくなることを抑制している（ステップＳ０８）。この場合において、最初だけ一時的に温風や温ミストの送出を停止して涼風との混合を抑制して、涼感を強く感じさせることができるようにすることも好ましい。温ミストを噴霧すると温度が均一化しやすいため、涼感ゾーンの構築時は、温風と、温ミストを一時的に停止し、その後温風だけ噴出を再開し、涼感ゾーンの構築を終了する直前あたりで温ミストの噴射を再開するなどすることが涼感ゾーンを最適化するという面では更に好ましい対応となる。
【０２４３】
続いて、発汗ゾーン側可動ルーバーを動かして、図３４に示したように温風及び温ミストが退避するように制御する（ステップＳ０９）。その後、循環ファン５３１（図１６等参照）の回転数を上昇させる（ステップＳ１０）。これは、クールダウンの初期入浴者が強い涼感を得たいと思っているため、それに答えるための対応であるとともに、涼感ゾーンにある高温の浮遊しているミストを無くして噴射される冷ミストが高温化されないようにする目的もある。
【０２４４】
ステップＳ１０において、循環ファン５３１の回転数を上昇させた後、５秒経過するか判断する（ステップＳ１１）。これは涼感を得たいと思っているエスケープ開始初期にファン回転を高めて強い涼感を入浴者に与えて高い涼感満足度を与えるようにしたものである。ステップＳ１１において、５秒経過したと判断した後、涼感ゾーンの温度ｔを涼感ゾーン側温度センサーにより読み込む（ステップＳ１２）。
【０２４５】
ステップＳ１１において読み込んだ涼感ゾーンの温度ｔと、涼感ゾーンの目標温度Ｔｔとの偏差Ｔ１を演算する（ステップＳ１３）。続いて、偏差Ｔ１が５℃以上あるか否か判断する（ステップＳ１４）。
【０２４６】
ステップＳ１４において、偏差Ｔ１が５℃以上なかった場合、涼水ミストの噴出を開始する（ステップＳ１５）。ステップＳ１５における涼水ミストの噴出においては、ミストの粒径を中程度にし、ミストの噴出速度を大きくする。これは目標温度との偏差が少なく、入浴者が得たいと思っている涼感程度に対して略近い領域まで既に涼感を得ていると思われるため、涼感フィーリングの最適化と、発汗ゾーンの温度降下を無用に生じさせることがないように、粒径を中程度にしているものである。
【０２４７】
ステップＳ１５の涼水ミストの噴出開始後、３秒経過したか否か判断する（ステップＳ１６）。３秒経過しない場合はステップＳ１５の処理を継続し、３秒経過した場合は涼感ゾーンを形成したか否かのフラグＦを１に設定する（ステップＳ１９）。
【０２４８】
ステップＳ１４において、偏差Ｔ１が５℃以上であった場合、涼水ミストの噴出を開始する（ステップＳ１７）。ステップＳ１７における涼水ミストの噴出においては、ミストの粒径を大きくし、ミストの噴出速度も大きくする。これは、まだ、目標温度との偏差が大きいことから入浴者の涼感満足度はまだ不十分であると判断し、強い涼感を得られるように粒径を大きくしているものである。なお、粒径が大きいほど雰囲気温度によって高温化されることを抑制できるため、入浴者に触れた際にも冷たく感じさせることができるものである。
【０２４９】
ステップＳ１７の涼水ミストの噴出開始後、５秒経過した否か判断する（ステップＳ１８）。５秒経過しない場合はステップＳ１７の処理を継続し、５秒経過した場合は涼感ゾーンを形成したか否かのフラグＦを１に設定する（ステップＳ１９）。
【０２５０】
続いて、ステップＳ０１において、涼感ゾーンを形成したか否かのフラグＦが１であった場合には、発汗ゾーンの温度を発汗ゾーン側温度センサー４６（図１６等参照）により読み込む（ステップＳ２０）。ここからは、涼感制御の第２ステージ制御になるものである。言い換えると、涼感を得たいと思っているエスケープ開始初期を第１ステージ制御とし、この期間は、発汗ゾーンの温度降下よりは、むしろ入浴者が満足するような強い涼感を与えるように制御を行い、以降の第２ステージ制御では、強い涼感程度というよりは、快適な涼感を与えながら、発汗ゾーンの温度維持をも図る制御ゾーンに変更されている。
【０２５１】
ステップＳ２０で読み込んだ発汗ゾーンの温度に基づいて、発汗ゾーンの温度降下が所定値以上となっているか否か判断する（ステップＳ２１）。
【０２５２】
ステップＳ２１において、発汗ゾーンの温度降下が所定値以上となっていれば、それ以上の温度降下を避けるために、涼感流体の送り出しを抑える発汗ゾーンの温度維持補正を行う（ステップＳ２３）。具体的には、ステップＳ２４で検出される涼水ミストの噴出間欠時間を１．５倍する補正を行うとともに、涼感ゾーンの目標設定温度Ｔｔを２℃高いように上昇補正した目標補正制御量を用いる（目標設定温度Ｔｔ＝Ｔｔ+２℃とする）。これによって、偏差量が見かけ上小さくなるため涼感流体の噴射が抑えられ、発汗ゾーンの温度維持性能を高めることができる。
【０２５３】
ステップＳ２１において、発汗ゾーンの温度降下が所定値以上となっていなければ、発汗ゾーンの温度降下はまだ余裕があり、涼感満足度を与える余地が多く残されている為、ステップＳ２４において検出データに補正を加えることなく、涼感ゾーンの温度ｔと、涼感ゾーンの目標温度Ｔｔとの偏差Ｔ１にそのまま基づいて演算された値を用いて制御が行われる。
【０２５４】
図３７に示すように、偏差Ｔ１が大きいほど涼感満足度は不十分であると考えられる為風量は多くする。また、偏差Ｔ１が大きいほど涼水ミストの粒径を大きくしている。また、涼水ミストの間欠噴射時間を短くして単位時間当たりの噴射回数を多くしている。ステップＳ０８において既に発汗ゾーンの温ミスト粒径も大きくしているが（図３７のステップＳ２４の一点鎖線で発汗ゾーンの温ミストの粒径を示す）、涼感ゾーンの涼水ミストは、強い涼感を与える為に温ミストの粒径より実質的に大きくしている。具体的には、偏差Ｔ１が非常に小さくなった領域では涼感を得たいという領域ではないため、このような小さな領域だけに限って涼水ミストの粒径は温ミストの粒径より小さくなっているものである。このように涼水ミストの粒径を大きくすることで涼水ミストは速やかに落下しやすくなるため空気中に浮遊することが抑制されて発汗ゾーンの温度降下を抑制できるという効果も奏することができている。
【０２５５】
ステップＳ２４の処理を行うことにより、偏差Ｔ１に基づいて最適な涼水ミストの噴射が行われるが、涼水ミストの水量はあくでも発汗ゾーンに対する温ミストの水量の１／５程度であり、発汗ゾーンの温度維持を図りながら、局部的なエリアに対して涼感ゾーンを構築していることが見て取れる。（図３８参照）。
【０２５６】
続いて、涼感ゾーンの温度が目標温度の範囲内であるか否かを判断する（ステップＳ２５）。涼感ゾーンの温度が目標温度の範囲内でなければ、ステップＳ０１にリターンし、涼感ゾーンの温度が目標温度の範囲内であれば、ステップＳ２６の処理に進む。
【０２５７】
続いて、涼水ミストの噴出を停止する（ステップＳ２６）。その後、エスケープモードがＯＦＦされているか否かを判断する（ステップＳ２７）。エスケープモードがＯＦＦされていれば、フラグＦを０に設定し、ステップＳ０１の処理に戻る（ステップＳ２８）。
【０２５８】
ステップＳ２７において、エスケープモードがＯＦＦされていない場合は、エスケープモードの継続時間が所定時間以上となっているか判断する（ステップＳ２９）。エスケープモードの継続時間が所定時間以上となっていなければ、ステップＳ０１の処理に戻る。エスケープモードの継続時間が所定時間以上となっていれば、発汗エリアにおける温ミストの噴出を休止する（ステップＳ３０）。その後、フラグＦを０に設定し、ステップＳ０１の処理に戻る（ステップＳ３１）。これは、あまりにも長くクールダウンを行っている状況であり、サイクル入浴を行うことを辞めたと思えること、及び発汗ゾーンの維持に温ミストを噴射しながら高温に維持することは大きなエネルギーロスになること（温風だけであれば高温維持は容易であるが、温ミストを噴射すると温度降下が起きるため高温維持には大きなエネルギーが必要であるため）から、温ミストの噴射だけを休止して温風だけを継続させている。なお、今回は、温ミストの噴射だけを休止しているが、あまりにも長い間エスケープモードが続くようであれば無駄であるため、温風も休止してもよい。
【０２５９】
引き続いて、浴室ミストサウナ装置ＭＳを用いたゾーン分離空調制御（露天風呂モード）について説明する。図３９は、ゾーン分離空調制御（露天風呂モード）のフローを示したフローチャートである。
【０２６０】
露天風呂モードがＯＮとなっているか否か判断する（ステップＳ４０）。露天風呂モードがＯＮとなっていなければ、処理を終了する。露天風呂モードがＯＮとなっていれば、ステップＳ４１の処理に進む。
【０２６１】
続いて、涼感ゾーンに向けて循環送風を開始する（ステップＳ４１）。より具体的には、涼風ダンパー５５１ｂ（図３１等参照）を開いて涼風を送りだす。続いて、発汗ゾーン側可動ルーバー及び涼感ゾーン側可動ルーバーを動かして、入浴者の頭部近傍に涼風が当たるように制御する（ステップＳ４２）。その後、循環ファン５３１（図１６等参照）の回転数を上昇させる（ステップＳ４３）。
【０２６２】
ステップＳ４３において、循環ファン５３１の回転数を上昇させた後、５秒経過するか判断する（ステップＳ４４）。５秒経過したと判断した場合、涼水ミストの噴出を開始する（ステップＳ４５）。ステップＳ４５における涼水ミストの噴出においては、ミストの粒径を大きくし、ミストの噴出速度も大きくする。ここまでの制御がエスケープモードと同様の第１制御ゾーンであり、制御開始時に入浴者は強い涼感要求を持っていると思われるため最大の状態で強い涼感を与えているものである。
【０２６３】
続いて、涼感ゾーンの温度ｔと、涼感ゾーンの目標温度Ｔｔとの偏差Ｔ１を演算し、図３７におけるステップＳ２４と同様の処理を行う（ステップＳ４６）。続いて、露天風呂モードがＯＦＦされているか判断する（ステップＳ４７）。露天風呂モードがＯＦＦとなっていれば、処理を終了する。
【０２６４】
上述した本実施形態は、実体物によって分離されていない一つの空間として構成された浴室空間内に、入浴者Ｈに発汗を促すためのミストサウナ空間を形成する浴室ミストサウナ装置ＭＳ関するものである。浴室ミストサウナ装置ＭＳは、浴室空間内にミストを噴出するミスト噴出手段としてのミストポンプ５４１、メインバルブ５６、温ミストバルブ５７、冷ミストバルブ５９、第１ミストバルブ７７，８０、第２ミストバルブ７８，８１、第３ミストバルブ７９、ミストノズル７２，７３，７４を備えている。また、浴室ミストサウナ装置ＭＳは、浴室空間内の温度を上昇させる昇温手段としての暖房ヒータ６０，６１，６２、循環ファン５３１を備えている。また、浴室ミストサウナ装置ＭＳは、入浴者Ｈに発汗を促し得る発汗ゾーンを少なくとも含むミストサウナ空間を形成するように、ミスト噴出手段及び昇温手段をそれぞれ制御する制御手段としてのＣＰＵ４０及び記憶部４１を備えている。ＣＰＵ４０及び記憶部４１は、一つの空間としての浴室空間を実体物によらず横方向に並ぶように分割した領域であって、それぞれが予め定められた位置にある第１領域（浴槽ＢＴ側の領域又は洗い場側の領域）と第２領域（浴槽ＢＴ側の領域又は洗い場側の領域であって、第１領域とは異なる領域）とに対して、第１領域の少なくとも一部に発汗ゾーンを形成させると共に第２領域の少なくとも一部に発汗ゾーンにおいて発汗した入浴者に対して清涼感を体感させ得る涼感ゾーンを形成させるようにミスト噴出手段によるミストの噴出と昇温手段による温度の上昇とを制御することによりゾーン分離空調制御を行う。このゾーン分離空調制御において涼感ゾーンを形成する際には、ミスト噴出手段及び昇温手段の少なくとも一方から入浴者Ｈに清涼感を体感させるための涼感流体を送り出している。このＣＰＵ４０及び記憶部４１によるゾーン分離空調制御によって、入浴者Ｈが発汗ゾーンと涼感ゾーンとの間を往来可能なように浴室空間を構成し、入浴者が発汗と清涼感の体感とを交互に体験することができるサイクル入浴を可能としている。
【０２６５】
本実施形態によれば、実体物によらずに縦方向に分離形成されている第１領域と第２領域とに対し、第１領域には高温多湿の発汗ゾーンを、第２領域には涼感ゾーンをそれぞれ形成することができるので、入浴者Ｈがそれらのゾーンに入りやすいように意図的に形成した発汗ゾーン及び涼感ゾーンを提供することができる（図１〜図１１参照）。また、第１領域及び第２領域は実体物によらずに横並びに分割された位置に形成されているので、入浴者Ｈがそれらの間を自由に往来することができる。従って、入浴者Ｈは第１領域に形成された発汗ゾーンと、第２領域に形成された涼感ゾーンとを自らが意図したタイミングで往来することが可能となり、自身にとってより好ましいタイミングでクールダウンすることが可能となる。更に、ＣＰＵ４０及び記憶部４１によるゾーン分離空調制御が行われている間の意図した時間帯において定常的に発汗ゾーンと涼感ゾーンとを並存形成できるので（図３７に係る説明を参照）、浴室の暖気と涼気とを全て入れ替える必要が無くなり、よりエネルギー効率を向上させることもできる。
【０２６６】
また本実施形態に係る浴室ミストサウナ装置ＭＳにおいては、浴室ミストサウナ装置ＭＳに対する操作指示を受け付けて、制御手段としてのＣＰＵ４０及び記憶部４１に対して操作指示信号を出力する操作受付手段としての浴室操作パネル４３１を備えている。ＣＰＵ４０及び記憶部４１は、発汗ゾーンを形成した後に浴室操作パネル４３１から出力される操作指示信号に応じて、発汗ゾーンを形成するためのミスト噴出手段及び昇温手段に対する制御を継続すると共に、ミスト噴出手段及び昇温手段の少なくとも一方から入浴者Ｈに清涼感を体感させるための涼感流体を送り出させて涼感ゾーンを形成するゾーン分離空調制御を行う。ＣＰＵ４０及び記憶部４１は、浴室操作パネル４３１から出力される操作指示信号に応じてゾーン分離空調制御を行うので、入浴者Ｈの操作に応じたゾーン分離空調制御が可能となる。また、涼感ゾーンは涼感流体を送り出すことによって形成されているので、入浴者により的確に清涼感を体感させることができる。
【０２６７】
また本実施形態に係る浴室ミストサウナ装置ＭＳにおいては、ＣＰＵ４０及び記憶部４１は、発汗ゾーンを所定以上の温度及び所定以上の湿度となる高温ミスト雰囲気とする一方で、涼感ゾーンを高温ミストのない雰囲気とするように涼感流体を送り出してゾーン分離空調制御を行い、涼感流体は、高温ミストよりも低温の低温ミスト、及び発汗ゾーンの温度よりも低温の涼風の少なくとも一方によって構成されることも好ましい。この好ましい態様によれば、発汗ゾーンを高温ミスト雰囲気とすることで入浴者の発汗をより効果的に促すことができると共に、涼感ゾーンを高温ミスト雰囲気としないことによって発汗ゾーンにいた入浴者に対してより的確に清涼感を感じさせることができる。また、涼感ゾーンを形成する涼感流体は低温ミスト及び涼風の少なくとも一方によって構成されているので、涼感ゾーンの形成を迅速かつ的確に行うことができる。
【０２６８】
また本実施形態に係る浴室ミストサウナ装置ＭＳにおいては、ミスト噴出手段は、発汗ゾーンを形成するための第１ミスト噴出手段（図２２，２３，２４に係る説明参照）と涼感ゾーンを形成するための第２ミスト噴出手段（図２２，２３，２４に係る説明参照）とを有し、第２ミスト噴出手段は低温ミストを噴出することも好ましい。発汗ゾーンを形成するための第１ミスト噴出手段とは別途設けられた第２ミスト噴出手段から低温ミストを噴出するので、低温ミストを涼感ゾーンを形成するための第２領域に向けて的確に噴出できる。
【０２６９】
また本実施形態に係る浴室ミストサウナ装置ＭＳにおいては、浴室操作パネル４３１が出力する操作指示信号は、ゾーン分離空調制御を開始することを指示する開始指示信号、あるいは、ゾーン分離空調制御を停止することを指示する停止指示信号を含み、ＣＰＵ４０及び記憶部４１は、浴室操作パネル４３１から開始指示信号が出力されたことに応じてゾーン分離空調制御を開始し、浴室操作パネル４３１から停止指示信号が出力されたことに応じてゾーン分離空調制御を停止することも好ましい。この好ましい態様によれば、ＣＰＵ４０及び記憶部４１は開始指示信号の出力から停止指示信号の出力までの間にゾーン分離空調制御を行うので、入浴者Ｈの操作に応じたゾーン分離空調制御をより的確に行うことが可能となる。
【０２７０】
また本実施形態に係る浴室ミストサウナ装置ＭＳにおいては、ＣＰＵ４０及び記憶部４１は、ゾーン分離空調制御を行っている間において所定条件を満たした場合に、涼感ゾーンの形成態様を遷移させることも好ましい。この好ましい態様によれば、所定の指示信号の出力や所定の温度環境の形成といった所定条件を満たした場合に、涼感ゾーンを拡大したり縮小したりという形成態様の遷移を行うので、入浴者Ｈの多様な要望に対応する涼感ゾーンの提供が可能となる。
【０２７１】
また本実施形態に係る浴室ミストサウナ装置ＭＳにおいては、ＣＰＵ４０及び記憶部４１は、所定の操作指示信号の出力に応じて涼感ゾーンを拡大させることも好ましい。この好ましい態様によれば、所定の操作指示信号の出力に応じて涼感ゾーンを拡大するので、例えばより広い範囲で清涼感を求める入浴者の要望に応じた涼感ゾーンの形成が可能となる。また、所定の操作指示信号が出力されるまでは涼感ゾーンを小さく維持することもできるので、入浴者の要望に応じた迅速な涼感ゾーンの形成が可能となる。
【０２７２】
また本実施形態に係る浴室ミストサウナ装置ＭＳにおいては、ＣＰＵ４０及び記憶部４１は、所定の操作指示信号の出力に応じて涼感ゾーンの温度を更に下げさせることも好ましい。この好ましい態様によれば、所定の操作指示信号の出力に応じて涼感ゾーンの温度を更に下げるので、例えばより強い清涼感を求める入浴者の要望に応じた涼感ゾーンの形成が可能となる。
【０２７３】
また本実施形態に係る浴室ミストサウナ装置ＭＳにおいては、ＣＰＵ４０及び記憶部４１は、所定の条件を満たすまで開始指示信号を受け付けないことも好ましい（図３７に係る説明参照）。この好ましい態様によれば、例えば発汗ゾーンの温度が低い場合などのように発汗ゾーンの形成が未完の場合に開始指示信号を受け付けないようにすることができるので、涼感ゾーンの形成による発汗ゾーンの温度降下を極力抑制できる。
【０２７４】
また本実施形態に係る浴室ミストサウナ装置ＭＳにおいては、浴室操作パネル４３１は、ゾーン分離空調制御を開始する操作を受け付ける開始操作受付部としての「エスケープモード」ボタン４３ｃｄを有し、「エスケープモード」ボタン４３ｃｄが操作されたことに応じて、ゾーン分離空調制御への移行を報知することも好ましい。この好ましい態様によれば、「エスケープモード」ボタン４３ｃｄがゾーン分離空調制御の開始操作を受け付けたことに応じて、ゾーン分離空調制御への移行を入浴者に報知することができるので、入浴者の意図しない涼感ゾーンの形成を抑制できる。また、入浴者への報知としては、音や映像による報知や、２段階操作の要求といった報知のように様々な態様を採用することができるので、入浴者や浴室の状況に応じた報知が可能となる。
【０２７５】
また本実施形態に係る浴室ミストサウナ装置ＭＳにおいては、浴室操作パネル４３１は、低温ミストを噴出させる操作を受け付ける低温ミスト操作受付部としての「涼水ミスト」ボタン４３ｃｂと、涼風を送り出させる操作を受け付ける涼風操作受付部としての「涼風」ボタン４３ｃａとをそれぞれ独立して有することも好ましい。この好ましい態様によれば、「涼水ミスト」ボタン４３ｃｂと「涼風」ボタン４３ｃａとを独立して有しているので、入浴者の要望に応じた低温ミストのみの噴出や涼風のみの送り出しを行うことができる。
【０２７６】
また本実施形態に係る浴室ミストサウナ装置ＭＳにおいては、ＣＰＵ４０及び記憶部４１は、涼感ゾーンの温度を発汗ゾーンの温度よりも低くなるように昇温手段を制御する、あるいは、涼感ゾーンの相対湿度を発汗ゾーンの相対湿度よりも低くなるようにミスト噴出手段及び昇温手段の少なくとも一方を制御することによって、ゾーン分離空調制御を行うことも好ましい。この好ましい態様によれば、高温多湿の発汗ゾーンに対して涼感ゾーンの体感温度を低くすることができるので、発汗ゾーンにいた入浴者Ｈに対してより的確に清涼感を感じさせる涼感ゾーンを提供できる。
【０２７７】
また本実施形態に係る浴室ミストサウナ装置ＭＳにおいては、ＣＰＵ４０及び記憶部４１は、発汗ゾーンを所定以上の温度及び所定以上の湿度となる高温ミスト雰囲気とする一方で、涼感ゾーンを高温ミストのない雰囲気とするように、ゾーン分離空調制御を行うことも好ましい。この好ましい態様によれば、発汗ゾーンを高温ミスト雰囲気とすることで入浴者の発汗をより効果的に促すことができると共に、涼感ゾーンを高温ミスト雰囲気としないことによって発汗ゾーンにいた入浴者Ｈに対してより的確に清涼感を感じさせることができる。
【０２７８】
また本実施形態に係る浴室ミストサウナ装置ＭＳにおいては、ＣＰＵ４０及び記憶部４１は、涼感ゾーンの温度が発汗ゾーンの温度に対して少なくとも発汗ゾーンの温度に応じて定められる所定温度以上低くなるように、ゾーン分離空調制御を行うことも好ましい（図３７に係る説明参照）。発汗ゾーンにいた入浴者Ｈが感じる清涼感は発汗ゾーンの温度や外気温度といった要因によって異なるので、この好ましい態様によれば、涼感ゾーンの温度を発汗ゾーンの温度に応じて定められる所定温度以上の差を維持することで、涼感ゾーンにおける清涼感をより効果的に感じさせることができる。
【０２７９】
また本実施形態に係る浴室ミストサウナ装置ＭＳにおいては、ＣＰＵ４０及び記憶部４１は、発汗ゾーンの温度が予め定められた発汗ゾーン温度に、涼感ゾーンの温度が予め定められた涼感ゾーン温度に、それぞれなるようにゾーン分離空調制御を行うことも好ましい。
【０２８０】
また本実施形態に係る浴室ミストサウナ装置ＭＳにおいては、ＣＰＵ４０及び記憶部４１は、入浴者Ｈが涼感ゾーンに入ったことを実感可能なように、第２領域の予め定められた位置を所定以上の大きさで取り囲んで、入浴者Ｈを略内包するような大きさの空間として涼感ゾーンを形成するようにゾーン分離空調制御を行うことも好ましい（図２〜図１１参照）。この好ましい態様によれば、涼感ゾーンの大きさを入浴者Ｈの顔といった局部のみならず、入浴者Ｈがそこに入ったことを実感可能な程度の大きさに制御するので、涼感ゾーンにおける清涼感をより効果的に感じさせることができる。
【０２８１】
また本実施形態に係る浴室ミストサウナ装置ＭＳにおいては、第２領域の縦方向の略全域に渡って涼感ゾーンを形成するように、ゾーン分離空調制御を行うことも好ましい（図２〜図１１参照）。この好ましい態様によれば、涼感ゾーンを第２領域の縦方向の略全域に渡って形成することで、入浴者Ｈに対して十分な大きさの涼感ゾーンを確保することができる。
【０２８２】
また本実施形態に係る浴室ミストサウナ装置ＭＳにおいては、ＣＰＵ４０及び記憶部４１は、ゾーン分離空調制御を行う第１モードに対して、浴室空間内に発汗ゾーンのみを形成制御する単一空調制御を行う第２モードも備えることも好ましい（図２〜図１１参照）。この好ましい態様によれば、ゾーン分離空調制御に対して単一空調制御も行うことが可能となるので、例えば、発汗を広い範囲で楽しみたい入浴者に対する的確な空調制御が可能となる。
【０２８３】
また本実施形態に係る浴室ミストサウナ装置ＭＳにおいては、ＣＰＵ４０及び記憶部４１は、ミストサウナ空間を形成する際に、第２モードで制御を開始した後に第１モードの制御を行うことも好ましい（図３７に係る説明参照）。この好ましい態様によれば、ゾーン分離空調制御に先立って単一空調制御を行い、浴室空間全体を発汗ゾーンとすることができると共に、その後ゾーン分離空調制御に移行するので、発汗ゾーンの維持と涼感ゾーンの形成とを効果的に実現できる。
【０２８４】
また本実施形態に係る浴室ミストサウナ装置においては、ＣＰＵ４０及び記憶部４１は、第１モードの制御と第２モードの制御とを所定時間毎に交互に行うことも好ましい。この好ましい態様によれば、ゾーン分離空調制御と単一ゾーン空調制御とを交互に行うことが可能となるので、例えば、発汗を広い範囲で楽しみたい入浴者Ｈに対する的確な空調制御が可能となると共に、発汗ゾーンの維持と涼感ゾーンの形成とを効果的に実現できる。
【０２８５】
また本実施形態に係る浴室ミストサウナ装置ＭＳにおいては、浴室空間内に温風を吹き出す温風吹出部としての発汗ゾーン側可動ルーバー５０１と、浴室空間内に涼風を吹き出す涼風吹出部としての涼感ゾーン側可動ルーバー５１１とを含むことも好ましい。この場合において、ＣＰＵ４０及び記憶部４１は、ミストサウナ空間を形成する際に、第１領域にミストを噴出させると共に発汗ゾーン側可動ルーバー５０１から温風を送出させるようにミスト噴出手段及び昇温手段を制御し、第２領域に涼感ゾーン側可動ルーバー５１１から涼風を送出させると共に低温のミストを噴出するように昇温手段を及びミスト噴出手段を制御することも好ましい。この好ましい態様によれば、第１領域にミストを噴出しながら温風を送出するので、発汗ゾーンを的確に形成できる。また、第２領域には涼風を送出しながら低温のミストを噴出するので、涼感ゾーンを発汗ゾーンに対して的確に並存形成することができる。尚、本実施形態においては、発汗ゾーン側可動ルーバー５０１と涼感ゾーン側可動ルーバー５１１との間に、浴室ミストサウナ装置から５〜１０センチ程度の鉛直下方に延びる仕切り部材を設けることも好ましい。このような仕切り部材を設けることで、発汗ゾーン側可動ルーバー５０１から送り出される温風と、涼感ゾーン側可動ルーバー５１１から送り出される涼風とが、この仕切り部材によって妨げられて混合しないような気流となるため、より効果的に発汗及び涼感ゾーンそれぞれの環境を維持できるようになる。
【０２８６】
また本実施形態に係る浴室ミストサウナ装置ＭＳにおいては、ＣＰＵ４０及び記憶部４１が、第２領域に涼感ゾーン側可動ルーバー５１１から涼風を所定時間送出させた後に低温のミストを噴出するように昇温手段を及びミスト噴出手段を制御することも好ましい。この好ましい態様によれば、第１領域にミストを噴出しながら温風を送出するので、発汗ゾーンを的確に形成できる。また、第２領域には涼風を送出して気流を形成した後に低温のミストを噴出するので、涼感ゾーンを発汗ゾーンに対して的確に並存形成することができる。
【０２８７】
また本実施形態に係る浴室ミストサウナ装置ＭＳにおいては、涼感ゾーンを形成するにあたり、ＣＰＵ４０及び記憶部４１が、第１領域へのミストの噴出を停止するようにミスト噴出手段を制御することも好ましい。この好ましい態様によれば、涼感ゾーンの形成にあたり、第１領域へのミストの噴出のみを停止し、温風の送出は継続するので、涼感ゾーンを迅速的確に形成できると共に、発汗ゾーンの温度を維持できる。このように、浴室ミストサウナ装置ＭＳは、本来的にはミストサウナ空間を形成するものであるけれでも、ゾーン空調制御の各段階によっては、温風ＨＷのみを吹き出すことでミストサウナ環境を維持しつつ、涼感ゾーンを形成できる。ＣＰＵ４０及び記憶部４１は、温度差を維持しつつ、高温のミストの噴出を停止するように制御する。
【図面の簡単な説明】
【０２８８】
【図１】本実施形態である浴室ミストサウナ装置を構成する浴室空調機本体を浴室ユニットに取り付けた一例を説明するための図である。
【図２】本実施形態である浴室ミストサウナ装置によって実現可能なゾーン空調制御の第１例を説明するための図である。
【図３】本実施形態である浴室ミストサウナ装置によって実現可能なゾーン空調制御の第１例を説明するための図である。
【図４】本実施形態である浴室ミストサウナ装置によって実現可能なゾーン空調制御の第１例を説明するための図である。
【図５】本実施形態である浴室ミストサウナ装置によって実現可能なゾーン空調制御の第２例及び第３例を説明するための図である。
【図６】本実施形態である浴室ミストサウナ装置によって実現可能なゾーン空調制御の第４例を説明するための図である。
【図７】本実施形態である浴室ミストサウナ装置によって実現可能なゾーン空調制御の第５例を説明するための図である。
【図８】本実施形態である浴室ミストサウナ装置によって実現可能なゾーン空調制御の第６例を説明するための図である。
【図９】本実施形態である浴室ミストサウナ装置によって実現可能なゾーン空調制御の第６例を説明するための図である。
【図１０】本実施形態である浴室ミストサウナ装置によって実現可能なゾーン空調制御の第７例を説明するための図である。
【図１１】本実施形態である浴室ミストサウナ装置によって実現可能なゾーン空調制御の第８例を説明するための図である。
【図１２】本実施形態に好適に用いられるミストノズルの位置を説明するための図である。
【図１３】本実施形態に好適に用いられる浴槽の形態を説明するための図である。
【図１４】本実施形態に好適に用いられる浴槽の形態を説明するための図である。
【図１５】本実施形態に好適に用いられる浴槽の形態を説明するための図である。
【図１６】本実施形態である浴室ミストサウナ装置のブロック構成図である。
【図１７】本実施形態である浴室ミストサウナ装置の洗面所リモコンの操作パネルを示す図である。
【図１８】本実施形態である浴室ミストサウナ装置の浴室内リモコンの操作パネルを示す図である。
【図１９】図１８に示す浴室内リモコンの詳細設定パネルの一例を示す図である。
【図２０】図１８に示す浴室内リモコンの詳細設定パネルの一例を示す図である。
【図２１】図１８に示す浴室内リモコンの詳細設定パネルの一例を示す図である。
【図２２】本実施形態である浴室ミストサウナ装置の配管図である。
【図２３】図２２に示す配管図の変形例である。
【図２４】図２２に示す配管図の変形例である。
【図２５】本実施形態である浴室ミストサウナ装置の浴室空調機本体構造図である。
【図２６】本実施形態である浴室ミストサウナ装置の浴室空調機本体構造図である。
【図２７】本実施形態である浴室ミストサウナ装置の浴室空調機本体構造図である。
【図２８】図２５に示す浴室空調機本体の変形例を示す図である。
【図２９】図２８に示す浴室空調機本体の換気構造を説明するための図である。
【図３０】図２８に示す浴室空調機本体の設置例を示す図である。
【図３１】図２５に示す浴室空調機本体の変形例を示す図である。
【図３２】図２５に示す浴室空調機本体の変形例を示す図である。
【図３３】図３１に示す浴室空調機本体を用いた場合の空気循環を示す図である。
【図３４】図３１に示す浴室空調機本体を用いた場合の空気循環を示す図である。
【図３５】図３１に示す浴室空調機本体を用いた場合の空気循環を示す図である。
【図３６】図３１に示す浴室空調機本体を用いた場合の空気循環を示す図である。
【図３７】本実施形態である浴室ミストサウナ装置を用いたゾーン分離空調制御のフローを示すフローチャートである。
【図３８】図３７に示すゾーン分離空調制御を説明するための図である。
【図３９】本実施形態である浴室ミストサウナ装置を用いたゾーン分離空調制御のフローを示すフローチャートである。
【符号の説明】
【０２８９】
ＢＲ…浴室ユニット、ＢＴ…浴槽、１０…浴室空調機本体、２０…床部材、２１，２２，２３…壁部材、２４…天井部材、ＭＳ…浴室ミストサウナ装置、４０…ＣＰＵ４０、４１…記憶部、４２…洗面所リモコン、４３…浴室内リモコン、４４…第１水温センサー、４５…第２水温センサー、４６…発汗ゾーン側温度センサー、４７…涼感ゾーン側温度センサー、４８…浴室湿度センサー、４９…洗面所湿度センサー、５０…発汗ゾーン側可動ルーバー用モータ、５０１…発汗ゾーン側可動ルーバー、５１…涼感ゾーン側可動ルーバー用モータ、５１１…涼感ゾーン側可動ルーバー、５２…給水・給湯装置、５３…循環ファン駆動モータ、５３１…循環ファン、５４…ポンプ駆動モータ５４、５４１…ミストポンプ、５５…ダンパー駆動モータ５５、５５１…循環・換気切替ダンパー、５６…メインバルブ、５７…温ミストバルブ、５８…冷ミストバルブ、５９…排水バルブ。
【図１】
2008237478.tif 000003
【図２】
2008237478.tif 000004
【図３】
2008237478.tif 000005
【図４】
2008237478.tif 000006
【図５】
2008237478.tif 000007
【図６】
2008237478.tif 000008
【図７】
2008237478.tif 000009
【図８】
2008237478.tif 000010
【図９】
2008237478.tif 000011
【図１０】
2008237478.tif 000012
【図１１】
2008237478.tif 000013
【図１２】
2008237478.tif 000014
【図１３】
2008237478.tif 000015
【図１４】
2008237478.tif 000016
【図１５】
2008237478.tif 000017
【図１６】
2008237478.tif 000018
【図１７】
2008237478.tif 000019
【図１８】
2008237478.tif 000020
【図１９】
2008237478.tif 000021
【図２０】
2008237478.tif 000022
【図２１】
2008237478.tif 000023
【図２２】
2008237478.tif 000024
【図２３】
2008237478.tif 000025
【図２４】
2008237478.tif 000026
【図２５】
2008237478.tif 000027
【図２６】
2008237478.tif 000028
【図２７】
2008237478.tif 000029
【図２８】
2008237478.tif 000030
【図２９】
2008237478.tif 000031
【図３０】
2008237478.tif 000032
【図３１】
2008237478.tif 000033
【図３２】
2008237478.tif 000034
【図３３】
2008237478.tif 000035
【図３４】
2008237478.tif 000036
【図３５】
2008237478.tif 000037
【図３６】
2008237478.tif 000038
【図３７】
2008237478.tif 000039
【図３８】
2008237478.tif 000040
【図３９】
2008237478.tif 000041